(57)【要約】【課題】ＵＬ信号の伝送効率を落とすこと無く、ＤＬ信号の受信結果を示すフィードバック情報を基地局に送信することができる端末装置、無線通信システムおよび通信方法を提供する。【解決手段】端末装置は、基地局装置から送信される下りリンク信号の誤りの有無を検出する誤り検出部と、下りリンク信号に誤りが有る場合と無い場合とで、異なるプリアンブルを設定する設定部と、設定したプリアンブルを含む上りリンク信号を送信する送信部と、を備える。【選択図】図１
2018026786.tif 000002
【特許請求の範囲】
【請求項１】
基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備える端末装置。
【請求項２】
前記送信部は、所定のサブキャリア間隔を有する第１のサブキャリア群を用いたＯＦＤＭ変調が施された上りリンク信号を送信し、
前記設定部は、
前記下りリンク信号に誤りが無い場合、第１のサブキャリア群の一部のサブキャリアからなる第２のサブキャリア群に、プリアンブルを配置し、
前記下りリンク信号に誤りが有る場合、前記第１のサブキャリア群の一部のサブキャリアからなり、前記第２のサブキャリア群に含まれない少なくとも１つのサブキャリアを含む第３のサブキャリア群に、プリアンブルを配置する、
請求項１に記載の端末装置。
【請求項３】
前記第２のサブキャリア群は、前記所定のサブキャリア間隔のＮ倍（Ｎは４以上の整数）のサブキャリア間隔を有するサブキャリアからなり、
前記第３のサブキャリア群は、前記第２のサブキャリア群と、前記少なくとも１つのサブキャリアとからなり、
前記第３のサブキャリア群のサブキャリア間隔は、前記所定のサブキャリア間隔のＭ倍（Ｍは２以上Ｎ未満の整数）である、
請求項２に記載の端末装置。
【請求項４】
前記設定部は、前記少なくとも１つのサブキャリアの送信電力を前記第２のサブキャリア群のそれぞれのサブキャリアの送信電力よりも大きい送信電力に設定する、
請求項２に記載の端末装置。
【請求項５】
前記下りリンク信号が複数の制御信号を含む場合、
前記誤り検出部は、前記複数の制御信号それぞれに対して誤りの有無を検出し、
前記設定部は、誤りが検出された制御信号に応じて、前記少なくとも１つのサブキャリアを変更する、
請求項２に記載の端末装置。
【請求項６】
前記送信部は、所定のサブキャリア間隔を有する第１のサブキャリア群を用いたＯＦＤＭ変調が施された上りリンク信号を送信し、
前記設定部は、
前記下りリンク信号に誤りが有る場合、前記所定のサブキャリア間隔のＮ倍（Ｎは２以上の整数）のサブキャリア間隔を有するサブキャリアからなるサブキャリア群に、プリアンブルを配置することにより、互いに同一の信号がＮ個連続した周期信号をプリアンブルとして設定し、
前記下りリンク信号に誤りが有る場合、前記周期信号の一部の極性を反転した信号をプリアンブルとして設定する、
請求項１に記載の端末装置。
【請求項７】
前記下り信号が複数の制御信号を含む場合、
前記誤り検出部は、前記複数の制御信号それぞれに対して誤りの有無を検出し、
前記設定部は、誤りが検出された制御信号に応じて、前記周期信号の極性を反転する位置を変更する、
請求項６に記載の端末装置。
【請求項８】
前記送信部は、第１の周波数帯および第２の周波数帯を含む複数の周波数帯を用いて、前記上りリンク信号を送信し、
前記設定部は、
前記下りリンク信号に誤りが無い場合、前記第１の周波数帯を用いて送信する上りリンク信号にプリアンブルを設定し、
前記下りリンク信号に誤りが有る場合、前記第２の周波数帯を用いて送信する上りリンク信号にプリアンブルを設定する、
請求項１に記載の端末装置。
【請求項９】
前記送信部は、第１の周波数帯および第２の周波数帯を含む複数の周波数帯を用いて、前記上りリンク信号を送信し、
前記設定部は、
前記下りリンク信号に誤りが無い場合、前記第１の周波数帯を用いて送信する上りリンク信号、および、前記第２の周波数帯を用いて送信する２つの上りリンク信号に同一のプリアンブルを設定し、
前記下りリンク信号に誤りが有る場合、前記第１の周波数帯を用いて送信する上りリンク信号、および、前記第２の周波数帯を用いて送信する２つの上りリンク信号に互いに異なるプリアンブルを設定する、
請求項１に記載の端末装置。
【請求項１０】
前記下りリンク信号の周波数帯における干渉量を検出する干渉検出部を、備え、
前記設定部は、前記干渉量が所定値以上か否かで異なるプリアンブルを設定する、
請求項１に記載の端末装置。
【請求項１１】
前記プリアンブルは、前記下りリンク信号に誤りが有り、前記干渉量が所定値以上の場合と、前記下りリンク信号に誤りが有り、前記干渉量が所定値未満の場合と、前記下りリンク信号に誤りが無い場合とで、異なる、
請求項１０に記載の端末装置。
【請求項１２】
基地局装置と端末装置とを含む無線通信システムであって、
前記端末装置は、
前記基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備え、
前記基地局装置は、
前記上りリンク信号を受信する受信部と、
前記上りリンク信号に含まれる前記プリアンブルに基づき、前記端末装置が前記下りリンク信号を受信できたか否かを示すフィードバック情報を判定する判定部と、
前記フィードバック情報に応じて、前記端末装置へ送信するデータを設定し、前記設定したデータを含む下りリンク信号を送信する送信部と、
を備える、
無線通信システム。
【請求項１３】
基地局装置から送信される下りリンク信号の誤りの有無を検出し、
前記下りリンク信号に誤りが有る場合と無い場合とで、異なるプリアンブルを設定し、
前記設定したプリアンブルを含む上りリンク信号を送信する、
通信方法。
【発明の詳細な説明】
【技術分野】
【０００１】
本開示は、端末装置、無線通信システムおよび通信方法に関する。
【背景技術】
【０００２】
従来、テレビの生中継、緊急報道等の映像伝送を行う無線通信システムに用いる装置として、ＦＰＵ（Field Pick-up Unit）が知られている。このＦＰＵは、放送分野の素材伝送のために用いられ、中継現場側の移動局（端末）から放送局側の基地局へ本線情報のＵＬ（Up Link）信号を伝送し、放送局側の基地局から中継現場側の移動局へ送り返し情報のＤＬ（Down Link）信号を伝送する。カメラにより撮像された映像は、リアルタイムでファイル伝送され、移動局から基地局へＵＬ信号として送信され、記憶メディアに格納され再生される。
【０００３】
ＦＰＵで高速化が望まれるのは、放送で使用されている映像情報等である本線情報のＵＬ信号である。ＦＰＵでは、ＵＬ信号の伝送レートを高くするため、移動局は、ＤＬ信号の受信結果を示す情報を基地局へ伝送しない。
【先行技術文献】
【特許文献】
【０００４】
【特許文献１】特許第４６４３４７５号公報
【発明の概要】
【発明が解決しようとする課題】
【０００５】
近年、より大容量な伝送を行う８ｋ伝送に向けて、双方向ＦＰＵが検討されている。双方向ＦＰＵの場合、ＤＬ信号が増加することが予想されるため、移動局は、ＤＬ信号の受信結果を示す情報を基地局へ伝送することが望まれる。
【０００６】
本開示の非限定的な実施例は、ＵＬ信号の伝送効率を落とすこと無く、ＤＬ信号の受信結果を示すフィードバック情報を基地局に送信することができる端末装置、無線通信システムおよび通信方法を提供することである。
【課題を解決するための手段】
【０００７】
本開示の一態様に係る端末装置は、基地局装置から送信される下りリンク信号の誤りの有無を検出する誤り検出部と、前記下りリンク信号に誤りが有る場合と無い場合とで、異なるプリアンブルを設定する設定部と、前記設定したプリアンブルを含む上りリンク信号を送信する送信部と、を備える。
【０００８】
本開示の一態様に係る無線通信システムは、基地局装置と端末装置とを含む無線通信システムであって、前記端末装置は、前記基地局装置から送信される下りリンク信号の誤りの有無を検出する誤り検出部と、前記下りリンク信号に誤りが有る場合と無い場合とで、異なるプリアンブルを設定する設定部と、前記設定したプリアンブルを含む上りリンク信号を送信する送信部と、を備え、前記基地局装置は、前記上りリンク信号を受信する受信部と、前記上りリンク信号に含まれる前記プリアンブルに基づき、前記端末装置が前記下りリンク信号を受信できたか否かを示すフィードバック情報を判定する判定部と、前記フィードバック情報に応じて、前記端末装置へ送信するデータを設定し、前記設定したデータを含む下りリンク信号を送信する送信部と、を備える。
【０００９】
本開示の一態様に係る通信方法は、基地局装置から送信される下りリンク信号の誤りの有無を検出し、前記下りリンク信号に誤りが有る場合と無い場合とで、異なるプリアンブルを設定し、前記設定したプリアンブルを含む上りリンク信号を送信する。
【００１０】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１１】
本開示の一態様によれば、ＵＬ信号の伝送効率を落とすこと無く、ＤＬ信号の受信結果を示すフィードバック情報を基地局に送信することができる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】実施の形態１に係る端末の構成例を示すブロック図
【図２】実施の形態１に係る基地局の構成例を示すブロック図
【図３】フレーム構成の一例を示す図
【図４Ａ】実施の形態１におけるプリアンブル配置の第１の例を示す図
【図４Ｂ】実施の形態１におけるプリアンブル配置の第２の例を示す図
【図５Ａ】従来のフーリエ変換処理の動作例を示す図
【図５Ｂ】実施の形態１におけるフーリエ変換処理の動作例を示す図
【図６】実施の形態１に係る端末の処理を示すフローチャート
【図７】実施の形態１に係る基地局の処理を示すフローチャート
【図８】実施の形態１におけるプリアンブル配置の第３の例を示す図
【図９Ａ】実施の形態１におけるプリアンブル配置の第４の例を示す図
【図９Ｂ】実施の形態１におけるプリアンブル配置の第５の例を示す図
【図１０】実施の形態２に係る端末の構成例を示すブロック図
【図１１】実施の形態２に係る基地局の構成例を示すブロック図
【図１２Ａ】実施の形態２におけるプリアンブルと相関結果の第１の例を示す図
【図１２Ｂ】実施の形態２におけるプリアンブルと相関結果の第２の例を示す図
【図１３Ａ】実施の形態２におけるプリアンブルと相関結果の第３の例を示す図
【図１３Ｂ】実施の形態２におけるプリアンブルと相関結果の第４の例を示す図
【図１４】実施の形態３に係る端末の構成例を示すブロック図
【図１５】実施の形態３に係る基地局の構成例を示すブロック図
【図１６Ａ】実施の形態３におけるプリアンブル配置の第１の例を示す図
【図１６Ｂ】実施の形態３におけるプリアンブル配置の第２の例を示す図
【図１７】実施の形態３におけるプリアンブル配置の第３の例を示す図
【図１８Ａ】実施の形態３におけるプリアンブル配置の第１の変形例を示す図
【図１８Ｂ】実施の形態３におけるプリアンブル配置の第２の変形例を示す図
【図１８Ｃ】実施の形態３におけるプリアンブル配置の第３の変形例を示す図
【図１８Ｄ】実施の形態３におけるプリアンブル配置の第４の変形例を示す図
【図１９】実施の形態３におけるプリアンブル配置の第５の変形例を示す図
【図２０】実施の形態３におけるプリアンブル配置の第６の変形例を示す図
【図２１】実施の形態４に係る端末の構成例を示すブロック図
【図２２】実施の形態４に係る基地局の構成例を示すブロック図
【図２３Ａ】実施の形態４におけるＵＬ信号とＤＬ信号の第１の例を示す図
【図２３Ｂ】実施の形態４におけるＵＬ信号とＤＬ信号の第２の例を示す図
【図２３Ｃ】実施の形態４におけるＵＬ信号とＤＬ信号の第３の例を示す図
【図２４】実施の形態４に係る端末の処理を示すフローチャート
【図２５】実施の形態４に係る基地局の処理を示すフローチャート
【図２６】実施の形態５に係る端末の構成例を示すブロック図
【図２７】実施の形態５に係る基地局の構成例を示すブロック図
【図２８Ａ】実施の形態５におけるプリアンブル配置の第１の例を示す図
【図２８Ｂ】実施の形態５におけるプリアンブル配置の第２の例を示す図
【図２８Ｃ】実施の形態５におけるプリアンブル配置の第３の例を示す図
【図２９Ａ】実施の形態５におけるプリアンブル配置の第１の変形例を示す図
【図２９Ｂ】実施の形態５におけるプリアンブル配置の第２の変形例を示す図
【図２９Ｃ】実施の形態５におけるプリアンブル配置の第３の変形例を示す図
【発明を実施するための形態】
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、添付図面および以下の説明は、当業者が本開示を十分に理解するために、提供されるのであって、これらにより特許請求の範囲に記載の主題を限定することは意図されていない。
【００１６】
（実施の形態１）
実施の形態１に係る無線通信システムは、図１に示す端末１００と、図２に示す基地局２００と、を有する。端末１００および基地局２００は、例えば、放送分野の素材伝送に用いられるＦＰＵである。すなわち、端末１００はＵＬ信号として映像情報等を基地局２００へ送信し、基地局２００はＤＬ信号としてフィードバックするＤＬ制御情報等を端末１００へ送信する。また、本実施の形態１に係る無線通信システムでは、時分割複信（ＴＤＤ：Time Division Duplex）方式を用いて、ＵＬ信号とＤＬ信号とが送受信される。
【００１７】
＜端末の構成＞
次に、本実施の形態１に係る端末１００の構成例について図１を用いて説明する。図１は、本実施の形態１に係る端末１００の構成例を示すブロック図である。
【００１８】
図１に示すように、端末１００は、無線受信部１０１と、ベースバンド受信処理部１０２と、誤り検出部１０３と、ベースバンド送信処理部１０４と、プリアンブル設定部１０５と、付加部１０６と、無線送信部１０７と、から主に構成される。
【００１９】
無線受信部１０１は、アンテナに受信された無線信号（ＤＬ信号）に対して、増幅、フィルタリング等の無線受信処理を行う。そして、無線受信部１０１は、無線受信処理後の信号に対してダウンコンバートし、ベースバンド信号を得る。そして、無線受信部１０１は、ベースバンド信号をベースバンド受信処理部１０２に出力する。
【００２０】
ベースバンド受信処理部１０２は、無線受信部１０１から取得したベースバンド信号に対して、ＦＦＴ（Fast Fourier Transform）処理、復調処理等のベースバンド受信処理を行う。そして、ベースバンド受信処理部１０２は、ベースバンド受信処理が行われた受信データを誤り検出部１０３へ出力する。
【００２１】
誤り検出部１０３は、ベースバンド受信処理が行われた受信データの誤りの有無を検出する。誤り検出部１０３は、誤り検出結果をプリアンブル設定部１０５に出力する。また、誤り検出部１０３は、誤りが検出されなかった場合、受信データを出力する。
【００２２】
ベースバンド送信処理部１０４は、送信データ（ＵＬデータ）に対して誤り訂正符号化および変調を行い、ＩＦＦＴ（Inverse Fast Fourier Transform）処理を行い、送信データのベースバンド信号を得る。そして、ベースバンド送信処理部１０４は、送信データのベースバンド信号を付加部１０６へ出力する。
【００２３】
プリアンブル設定部１０５は、配置部１０５ａと、逆フーリエ変換部１０５ｂとを有し、誤り検出部１０３から取得する誤り検出結果に基づいてプリアンブルを設定する。
【００２４】
配置部１０５ａは、ＤＬ信号に誤りが無いことを示す誤り検出結果を取得した場合、つまり、ＤＬ信号を正常に受信できた場合、ＯＦＤＭ伝送に用いられるサブキャリア群（第１のサブキャリア群）の一部のサブキャリアからなるサブキャリア群（第２のサブキャリア群）にプリアンブルのデータを配置する。また、配置部１０５ａは、ＤＬ信号に誤りが有ることを示す誤り検出結果を取得した場合、つまり、ＤＬ信号を正常に受信できなかった場合、第１サブキャリア群の一部のサブキャリアからなり第２のサブキャリア群とは異なる第３のサブキャリア群にプリアンブルのデータを配置する。なお、プリアンブルのデータは、予め既知のシンボルデータ等である。なお、配置部１０５ａにおけるサブキャリアに対するプリアンブルの配置例については、後述する。
【００２５】
逆フーリエ変換部１０５ｂは、配置部１０５ａにより配置されたプリアンブルに対して、ＩＦＦＴ（Inverse Fast Fourier Transform）処理を行い、ベースバンドのプリアンブルを得る。そして、逆フーリエ変換部１０５ｂは、ベースバンドのプリアンブルを付加部１０６へ出力する。
【００２６】
付加部１０６は、所定のフレーム構成に基づき、送信データのベースバンド信号の前段にプリアンブルを付加する。そして、付加部１０６は、送信データのベースバンド信号の前段にプリアンブルを付加したベースバンドの送信信号を無線送信部１０７へ出力する。なお、フレーム構成については、後述する。
【００２７】
無線送信部１０７は、付加部１０６から取得したベースバンドの送信信号に対して、増幅、フィルタリング等の無線送信処理を行う。そして、無線送信部１０７は、無線送信処理後の信号に対してアップコンバートし、無線信号（ＵＬ信号）を得る。そして、無線送信部１０７は、アンテナからＵＬ信号を送信する。
【００２８】
＜基地局の構成＞
次に、本実施の形態１に係る基地局２００の構成例について図２を用いて説明する。図２は、本実施の形態１に係る基地局２００の構成例を示すブロック図である。
【００２９】
図２に示すように、基地局２００は、無線受信部２０１と、ベースバンド受信処理部２０２と、プリアンブル検出部２０３と、送信データ制御部２０４と、ベースバンド送信処理部２０５と、プリアンブル付加部２０６と、無線送信部２０７と、から主に構成される。
【００３０】
無線受信部２０１は、アンテナに受信された無線信号（ＵＬ信号）に対して、増幅、フィルタリング等の無線受信処理を行う。そして、無線受信部２０１は、無線受信処理後の信号に対してダウンコンバートし、ベースバンド信号を得る。そして、無線受信部２０１は、ベースバンド信号をベースバンド受信処理部２０２およびプリアンブル検出部２０３に出力する。
【００３１】
ベースバンド受信処理部２０２は、無線受信部２０１から取得したベースバンド信号に含まれるプリアンブルを用いて同期検波処理を行う。そして、ベースバンド受信処理部２０２は、ベースバンド信号に含まれるＵＬデータの信号に対して、ＦＦＴ（Fast Fourier Transform）処理等のベースバンド受信処理を行う。そして、ベースバンド受信処理部１０２は、ベースバンド受信処理が行われた受信データを出力する。
【００３２】
プリアンブル検出部２０３は、無線受信部２０１から取得したベースバンド信号に含まれるプリアンブルを抽出する。そして、プリアンブル検出部２０３は、抽出したプリアンブルに基づき、端末１００からのフィードバック情報を判定する。端末１００からのフィードバック情報は、端末１００が基地局２００から送信されたＤＬ信号を正しく受信できたか否かを示す情報である。ここで、ＤＬ信号を正しく受信できないというのは、受信したＤＬ信号に誤りが発生した場合や同期検出ができなかった場合等を意味する。プリアンブル検出部２０３は、端末１００からのフィードバック情報を送信データ制御部２０４へ出力する。
【００３３】
具体的に、プリアンブル検出部２０３は、フーリエ変換部２０３ａと、判定部２０３ｂとを備える。
【００３４】
フーリエ変換部２０３ａは、無線受信部２０１から取得するベースバンド信号に含まれるプリアンブルを抽出し、プリアンブルに対してＯＦＤＭ復調処理としてＦＦＴ処理等のフーリエ変換処理を行い、サブキャリア毎の受信電力成分を取得する。フーリエ変換部２０３ａは、サブキャリア毎の受信電力成分を判定部２０３ｂへ出力する。
【００３５】
判定部２０３ｂは、サブキャリア毎の受信電力成分に基づき、プリアンブルが示すフィードバック情報を判定する。具体的には、前述の通り、ＵＬ信号のプリアンブルは、端末１００が基地局２００から送信されたＤＬ信号を正しく受信できたか否かに応じて、プリアンブルのデータが配置されるサブキャリアが異なる。判定部２０３ｂは、サブキャリア毎の受信電力成分と所定の閾値とを比較することによって、プリアンブルのデータが配置されたサブキャリアを判定し、端末１００が基地局２００から送信されたＤＬ信号を正しく受信できたか否かを判定する。判定部２０３ｂは、端末１００が基地局２００から送信されたＤＬ信号を正しく受信できたか否かを示すフィードバック情報を送信データ制御部２０４へ出力する。
【００３６】
送信データ制御部２０４は、プリアンブル検出部２０３から取得するフィードバック情報に基づいて、送信するデータを設定する。具体的には、送信データ制御部２０４は、過去に送信した送信データを保持するバッファを有する。そして、送信データ制御部２０４は、端末１００が基地局２００から送信されたＤＬ信号を正しく受信できなかったことを示すフィードバック情報を取得した場合、バッファに保持する過去の送信データをベースバンド送信処理部２０５へ出力する。送信データ制御部２０４は、端末１００が基地局２００から送信されたＤＬ信号を正しく受信できたことを示すフィードバック情報を取得した場合、現時点で取得する送信データをベースバンド送信処理部２０５へ出力する。なお、基地局２００から送信される送信データは、例えば、端末１００へ送信する制御情報（ＤＬ制御情報）である。
【００３７】
ベースバンド送信処理部２０５は、送信データに対して誤り訂正符号化および変調を行い、ＩＦＦＴ（Inverse Fast Fourier Transform）処理を行い、ベースバンド信号を得る。そして、ベースバンド送信処理部２０５は、ベースバンド信号をプリアンブル付加部２０６へ出力する。
【００３８】
プリアンブル付加部２０６は、ベースバンド信号に対してプリアンブルを付加し、プリアンブルを含むベースバンド信号を無線送信部２０７へ出力する。
【００３９】
無線送信部２０７は、プリアンブルを含むベースバンド信号に対して、増幅、フィルタリング等の無線送信処理を行う。そして、無線送信部２０７は、無線送信処理後の信号に対してアップコンバートし、無線信号を得る。そして、無線送信部２０７は、アンテナから無線信号（ＤＬ信号）を送信する。
【００４０】
＜フレーム構成＞
次に、本実施の形態１に係る無線通信システムにおけるフレーム構成について、図３を参照して説明する。図３は、フレーム構成の一例を示す図である。
【００４１】
図３には、ＵＬ信号の送信期間と、ＤＬ信号の送信期間と、ガードタイム（ＧＴ：Guard Time）が示されている。前述の通り、本実施の形態１における無線通信システムでは、時分割複信方式を用いた通信が行われるため、図３に示すように、ＵＬ信号の送信期間とＤＬ信号の送信期間とは、ガードタイムを介して時分割によって設けられている。
【００４２】
ＵＬ信号は、前述の通り、主に、ＵＬデータの信号と、その前段に設けられるプリアンブル（Preamble）を含む。ＤＬ信号は、主に、プリアンブルと、ＤＬ制御情報の信号とを含む。
【００４３】
ガードタイム（ＧＴ）は、電波伝搬による遅延の影響を吸収し、ＵＬ信号とＤＬ信号との間の干渉を抑制するために、ＵＬ信号の送信期間とＤＬ信号の送信期間との間に設けられる。
【００４４】
端末１００は、図３に示すようなフレーム構成が示すＵＬ信号の送信期間に、基地局２００に対してＵＬ信号を送信する。同様に、基地局２００は、図３に示すようなフレーム構成が示すＤＬ信号の送信期間に、端末１００に対してＤＬ信号を送信する。
【００４５】
＜配置例＞
次に、本実施の形態１に係る端末１００の配置部１０５ａにおけるプリアンブルの配置方法の一例について、図４Ａ、図４Ｂを参照して説明する。図４Ａは、本実施の形態１におけるプリアンブル配置の第１の例を示す図である。図４Ｂは、本実施の形態１におけるプリアンブル配置の第２の例を示す図である。
【００４６】
なお、以下の説明において、ＵＬ信号に用いられるＯＦＤＭ伝送のサブキャリアの数を２Ｎ＋１（Ｎは１以上の整数）とする。そして、各サブキャリアに対して、周波数の低いサブキャリアから順に＃−Ｎから＃Ｎまでのサブキャリア番号を付して説明する。各サブキャリアの間隔は、ＯＦＤＭ伝送の１シンボル分の長さ、つまり、通常のＦＦＴ間隔に対応する。
【００４７】
図４Ａに示す配置例は、ＤＬ信号が正しく受信できた場合のプリアンブルの配置例である。図４Ａに示すように、プリアンブルは、０を除く４の倍数のサブキャリア番号（サブキャリア番号＃−８、＃−４、＃４、＃８等）に対応するサブキャリア群（第２のサブキャリア群）に配置される。
【００４８】
図４Ｂに示す配置例は、ＤＬ信号が正しく受信できなかった場合のプリアンブルの配置例である。図４Ｂに示すように、プリアンブルは、０を除く２の倍数のサブキャリア番号（サブキャリア番号＃−８、＃−６、＃−４、＃−２、＃２、＃４、＃６、＃８等）に対応するサブキャリア（第３のサブキャリア群）に配置される。つまり、第３のサブキャリア群には、０を除く、２の倍数であって４の倍数では無いサブキャリア番号（サブキャリア番号＃−６、＃−２、＃２、＃６等）に対応するサブキャリアが、第２のサブキャリア群に対して追加されている。
【００４９】
端末１００と基地局２００は、図４Ａ、図４Ｂに示すような、ＤＬ信号が正しく受信できたか否かに応じたサブキャリア配置の対応関係を保持する。
【００５０】
配置部１０５ａは、ＤＬ信号に誤りが無いことを示す誤り検出結果を取得した場合、図４Ａに示す配置を行う。配置部１０５ａは、ＤＬ信号に誤りが有ることを示す誤り検出結果を取得した場合、図４Ｂに示す配置を行う。
【００５１】
そして、逆フーリエ変換部１０５ｂは、ＩＦＦＴ（Inverse Fast Fourier Transform）処理を行い、ベースバンドのプリアンブルを得る。この際、図４Ａ、図４Ｂいずれも、２の倍数のサブキャリア番号に対応するサブキャリアにプリアンブルが配置される。つまり、プリアンブルが配置されるサブキャリアの間隔は、ＵＬ信号に用いられるＯＦＤＭ伝送のサブキャリア間隔の２倍、または、４倍に広がる。そのため、ＩＦＦＴ処理によって得られるプリアンブルは、互いに同一の２つの信号成分が時間軸方向に並ぶ周期信号となる。
【００５２】
基地局２００のフーリエ変換部２０３ａは、ベースバンド受信処理部２０２から取得するベースバンド信号に含まれるプリアンブルを抽出し、プリアンブルに対してＦＦＴ処理等のフーリエ変換処理を行い、サブキャリア毎の受信電力成分を取得する。
【００５３】
プリアンブルが配置されていないサブキャリアの受信電力は小さいため、判定部２０３ｂは、サブキャリア毎の受信電力成分と所定の閾値とを比較することによって、プリアンブルが配置されたサブキャリアを判定することができる。そして、判定部２０３ｂは、プリアンブルが配置されたサブキャリアが、０を除く４の倍数のサブキャリア番号に対応するサブキャリア群（つまり、第２のサブキャリア群）であると判定した場合、端末１００がＤＬ信号を正しく受信できたことを示すフィードバック情報を送信データ制御部２０４へ出力する。判定部２０３ｂは、プリアンブルが配置されたサブキャリアが、０を除く２の倍数のサブキャリア番号に対応するサブキャリア群（つまり、第３のサブキャリア群）であると判定した場合、端末１００がＤＬ信号を正しく受信できなかったことを示すフィードバック情報を送信データ制御部２０４へ出力する。
【００５４】
なお、判定部２０３ｂにおける判定方法はこれに限定されない。例えば、判定部２０３ｂは、０を除く、２の倍数であって４の倍数では無いサブキャリア番号に対応するサブキャリア（つまり、第３のサブキャリア群に含まれていて、第２のサブキャリア群に含まれていないサブキャリア）にプリアンブルが配置されたか否かに基づいて、判定を行っても良い。
【００５５】
＜プリアンブル検出例＞
前述の通り、図４Ａまたは図４Ｂに示した配置例に基づいたプリアンブルは、互いに同一の２つの信号成分が時間軸方向に並ぶ周期信号となる。そのため、基地局２００のフーリエ変換部２０３ａが、受信したＵＬ信号のプリアンブルにフーリエ変換処理を行う際に、従来とは異なる動作を行ってもよい。以下、フーリエ変換部２０３ａにおけるフーリエ変換処理の動作例を図５Ａ、図５Ｂを参照して説明する。
【００５６】
図５Ａは、従来のフーリエ変換処理の動作例を示す図である。図５Ｂは、本実施の形態１におけるフーリエ変換処理の動作例を示す図である。
【００５７】
図５Ａの例は、プリアンブルの先頭から終端までの１シンボル分の長さの区間をＦＦＴ区間として、ＦＦＴ処理が行われる従来例である。この例の場合、受信時にタイミング誤差が生じると、ＦＦＴ区間にＵＬデータの信号が含まれてしまうため、プリアンブルのＦＦＴ処理が正確に行えない。
【００５８】
図５Ｂの例は、プリアンブルの先頭から終端までの１シンボル分の長さの区間のうち、１／２の区間をＦＦＴ区間として、ＦＦＴ処理が行われる例である。図４Ａまたは図４Ｂに示した配置例に基づいたプリアンブルは、互いに同一の２つの信号成分が時間軸方向に並ぶ周期信号であるため、ＦＦＴ区間を１シンボル分の長さの１／２とすることができる。ＦＦＴ区間を１シンボル分の長さの１／２とすることにより、ＦＦＴ処理を開始する時点にタイミングオフセット（Timing offset）を設けることができるため、図５Ｂに示すように、タイミング誤差が生じた場合であっても、ＦＦＴ区間にＵＬデータの信号が含まれることを回避できる。つまり、ＦＦＴ区間を１シンボル分の長さの１／２とすることにより、前後の信号からの干渉を回避でき、プリアンブルのＦＦＴ処理を正確に行う事ができる。
【００５９】
なお、プリアンブルにおけるＦＦＴ区間の長さは、１シンボル分の長さの１／２とした場合について説明したが、本発明はこれに限定されず、例えば１シンボル分の長さの１／４等とすることも可能である。ただし、この場合は、プリアンブルを配置するサブキャリアの変更が必要となる。例えば、プリアンブルにおけるＦＦＴ区間の長さを１シンボル分の長さの１／４とする場合、プリアンブルを配置するサブキャリアは、０を除く４の倍数のサブキャリア番号（例えば、＃±４、＃±８、・・・）に対応するサブキャリア群の中から選択されれば良い。
【００６０】
＜端末の処理＞
次に、本実施の形態１に係る端末１００の処理の流れについて、図６を参照して説明する。図６は、本実施の形態１に係る端末１００の処理を示すフローチャートである。
【００６１】
端末１００の無線受信部１０１およびベースバンド受信処理部１０２は、ＤＬ信号の受信処理を行う（Ｓ１０１）。
【００６２】
次に、プリアンブル設定部１０５は、ベースバンド受信処理が行われたデータの誤りの有無に基づき、ＤＬ信号を正しく受信できたか否かを判定する（Ｓ１０２）。
【００６３】
ＤＬ信号を正しく受信できた場合（Ｓ１０２にてＹＥＳ）、プリアンブル設定部１０５は、ＤＬ信号を正しく受信できたことを示すプリアンブルを設定する（Ｓ１０３）。そして、Ｓ１０５の処理へ移行する。
【００６４】
詳細には、本実施の形態１の場合、プリアンブル設定部１０５は、第２のサブキャリア群にプリアンブルを配置することによって、ＤＬ信号を正しく受信できたことを示すプリアンブルを設定する。
【００６５】
一方で、ＤＬ信号を正しく受信できなかった場合（Ｓ１０２にてＮＯ）、プリアンブル設定部１０５は、ＤＬ信号を正しく受信できなかったことを示すプリアンブルを設定する（Ｓ１０４）。そして、Ｓ１０５の処理へ移行する。
【００６６】
詳細には、本実施の形態１の場合、プリアンブル設定部１０５は、第３のサブキャリア群にプリアンブルを配置することによって、ＤＬ信号を正しく受信できなかったことを示すプリアンブルを設定する。
【００６７】
次に、付加部１０６および無線送信部１０７は、Ｓ１０３またはＳ１０４にて設定されたプリアンブルを含むＵＬ信号の送信処理を行う（Ｓ１０５）。そして、端末１００の処理は終了する。
【００６８】
＜基地局の処理＞
次に、本実施の形態１に係る基地局２００の処理の流れについて、図７を参照して説明する。図７は、本実施の形態１に係る基地局２００の処理を示すフローチャートである。
【００６９】
基地局２００の無線受信部２０１は、ＵＬ信号の受信処理を行う（Ｓ２０１）。
【００７０】
次に、プリアンブル検出部２０３は、ＵＬ信号に含まれるプリアンブルの判定処理を行い、端末１００からのフィードバック情報を取得する（Ｓ２０２）。
【００７１】
詳細には、本実施の形態１の場合、プリアンブル検出部２０３は、プリアンブルに対してフーリエ変換処理を行い、サブキャリア毎の受信電力成分を取得する。そして、プリアンブル検出部２０３は、サブキャリア毎の受信電力成分に基づいて、プリアンブルが配置されたサブキャリアを判定し、端末１００が基地局２００から送信されたＤＬ信号を正しく受信できたか否かを示すフィードバック情報を取得する。
【００７２】
次に、送信データ制御部２０４は、フィードバック情報に基づき、端末１００がＤＬ信号を受信できたか否かを判定する（Ｓ２０３）。
【００７３】
端末１００がＤＬ信号を正しく受信できたと判定した場合（Ｓ２０３にてＹＥＳ）、送信データ制御部２０４は、次に送信する送信データを出力する（Ｓ２０４）。そして、Ｓ２０６の処理へ移行する。
【００７４】
端末１００がＤＬ信号を正しく受信できなかったと判定した場合（Ｓ２０３にてＮＯ）、送信データ制御部２０４は、前回送信した送信データを再び出力する（Ｓ２０５）。そして、Ｓ２０６の処理へ移行する。
【００７５】
次に、ベースバンド送信処理部２０５、プリアンブル付加部２０６、および、無線送信部２０７は、送信データ制御部２０４から取得した送信データを含むＤＬ信号の送信処理を行う（Ｓ２０６）。そして、基地局２００の処理は終了する。
【００７６】
＜効果＞
以上説明した本実施の形態１では、端末１００が、プリアンブルを配置するサブキャリアを変更することによって、ＤＬ信号を正しく受信できたか否かという判定結果に基づいたプリアンブルを設定する。これにより、プリアンブルの中にフィードバック情報が含まれるため、端末１００は、判定結果を示すフィードバック情報を基地局２００に送信するための信号をＵＬ信号の送信期間内に送信する必要が無い。そのため、ＵＬデータの伝送速度を低下させることを抑制しつつ、基地局２００にフィードバック情報を送信することができる。
【００７７】
また、本実施の形態１では、プリアンブルを配置するサブキャリアが、ＵＬ信号に用いられるＯＦＤＭ伝送のサブキャリア間隔の２倍になるサブキャリアから構成される例について説明した。これにより、プリアンブルが、互いに同一の２つの信号成分が時間軸方向に並ぶ周期信号となる。そのため、基地局２００において、プリアンブルを検出する際に、ＦＦＴ区間を短くすることができるため、他の信号（例えば、ＵＬデータの信号）との干渉を回避することができ、マルチパスや同期誤差によるプリアンブル検出精度の劣化を抑制することができる。また、他システムからの干渉を検出することができる。
【００７８】
なお、本実施の形態１では、図４Ａに示したように、ＤＬ信号が正しく受信できた場合に０を除く４の倍数のサブキャリア番号に対応するサブキャリア群（第２のサブキャリア群）にプリアンブルを配置する例について説明した。また、図４Ｂに示したように、ＤＬ信号が正しく受信できなかった場合に０を除く２の倍数のサブキャリア番号に対応するサブキャリア群（第３のサブキャリア群）にプリアンブルを配置する例について説明した。本開示は、これらに限定されない。第２のサブキャリア群と、第３のサブキャリア群とが互いに異なっていれば、基地局２００において、端末１００がＤＬ信号を正しく受信できたか否かを判定することができる。
【００７９】
また、第２のサブキャリア群は、ＵＬ信号に用いられるＯＦＤＭ伝送のサブキャリア群（第１のサブキャリア群）のサブキャリア間隔のＮ倍（Ｎは４以上の整数）のサブキャリア間隔を有するサブキャリアを含んでいればよい。そして、第３のサブキャリア群は、第２のサブキャリア群と、第２のサブキャリア群に含まれない少なくとも１つのサブキャリアを含み、第３のサブキャリア群のサブキャリア間隔は、第１のサブキャリア群のサブキャリア間隔のＭ倍（Ｍは２以上Ｎ未満の整数）であればよい。
【００８０】
例えば、第２のサブキャリア群は、０を除く８の倍数のサブキャリア番号に対応するサブキャリア群であってもよく、第３のサブキャリア群は、０を除く４の倍数のサブキャリア番号に対応するサブキャリア群であってもよい。この場合、第２のサブキャリア群のサブキャリア間隔は、第１のサブキャリア群のサブキャリア間隔の８倍、または、１６倍となり、第３のサブキャリア群のサブキャリア間隔は、第１のサブキャリア群のサブキャリア間隔の４倍、または、８倍となる。この場合、第２のサブキャリア群にプリアンブルを配置することにより生成されるプリアンブルは、互いに同一の８つの信号成分が時間軸方向に並ぶ周期信号となる。また、第３のサブキャリア群にプリアンブルを配置することにより生成されるプリアンブルは、互いに同一の４つの信号成分が時間軸方向に並ぶ周期信号となる。
【００８１】
また、本実施の形態１では、第２のサブキャリア群と第３のサブキャリア群が０のサブキャリア番号に対応するサブキャリアを含まないとして説明したが、第２のサブキャリア群および／または第３のサブキャリア群は、０のサブキャリア番号に対応するサブキャリアを含んでいても良い。
【００８２】
＜実施の形態１の変形例１＞
本実施の形態１の変形例１として、プリアンブルの配置の別の一例について、図８を参照して説明する。図８は、本実施の形態１におけるプリアンブル配置の第３の例を示す図である。
【００８３】
図８に示す配置例は、図４Ｂに示した配置例と同様、ＤＬ信号が正しく受信できなかった場合のプリアンブルの配置例である。ただし、図４Ｂと異なり、ＤＬ信号が正しく受信できた場合の配置例（図４Ａ参照）に対して追加されるサブキャリアの送信電力が、他のサブキャリアの送信電力よりも大きくなっている。
【００８４】
配置部１０５ａは、ＤＬ信号が正しく受信できなかった場合に、図８に示すように、プリアンブルを配置し、サブキャリアの送信電力を設定する。これにより、基地局におけるプリアンブルの検出精度を向上させることができる。
【００８５】
＜実施の形態１の変形例２＞
上述した例では、ＤＬ信号が正しく受信できたか否かという誤り検出の結果に基づいて、プリアンブルを配置するサブキャリアを変更する例について説明した。例えば、ＤＬ信号には、複数の信号（例えば、ＤＬ制御情報を含む信号（以下、ＤＬ制御情報信号））が含まれている場合がある。この場合、誤り検出部１０３は、それぞれの信号から得られるデータに対して誤り検出を行うことによって、それぞれの信号が正しく受信できたか否かを判定する。
【００８６】
本実施の形態１の変形例２では、ＤＬ信号が複数の信号を有し、誤り検出部１０３が複数の信号から得られるデータそれぞれに対して誤り検出を行う例について、図９Ａ、図９Ｂを参照して説明する。
【００８７】
なお、以下では、ＤＬ信号が、３つのＤＬ制御情報信号（ＤＬ制御情報信号＃１、ＤＬ制御情報信号＃２、ＤＬ制御情報信号＃３）を含むとして説明する。
【００８８】
図９Ａは、本実施の形態１におけるプリアンブル配置の第４の例を示す図である。図９Ｂは、本実施の形態１におけるプリアンブル配置の第５の例を示す図である。
【００８９】
変形例２では、３つのＤＬ制御情報信号が全て正しく受信できた場合、図４Ａに示したように、プリアンブルは、０を除く４の倍数のサブキャリア番号（サブキャリア番号＃−８、＃−４、＃４、＃８等）に対応するサブキャリア群（第２のサブキャリア群）に配置される。そして、３つのＤＬ制御情報信号の中で正しく受信できなかったＤＬ制御情報信号が存在する場合、正しく受信できなかったＤＬ制御情報信号に応じて、プリアンブルを配置するサブキャリアが第２のサブキャリア群に対して追加される。
【００９０】
図９Ａに示す配置例は、ＤＬ制御情報信号＃１が正しく受信できなかった場合のプリアンブルの配置例である。図９Ａに示すように、プリアンブルは、第２のサブキャリア群と、サブキャリア番号＃−２および＃２に対応するサブキャリアとに配置される。
【００９１】
図９Ｂに示す配置例は、ＤＬ制御情報信号＃２が正しく受信できなかった場合のプリアンブルの配置例である。図９Ｂに示すように、プリアンブルは、第２のサブキャリア群と、サブキャリア番号＃−６および＃６に対応するサブキャリアとに配置される。
【００９２】
なお、図示しないが、ＤＬ制御情報信号＃３が正しく受信できなかった場合、プリアンブルは、第２のサブキャリア群と、サブキャリア番号＃−１０および＃１０に対応するサブキャリアとに配置される。
【００９３】
また、例えば、ＤＬ制御情報信号＃１とＤＬ制御情報信号＃２とが正しく受信できなかった場合、プリアンブルは、第２のサブキャリア群と、サブキャリア番号＃−２、＃２、＃６および＃６に対応するサブキャリアとに配置される。
【００９４】
端末１００と基地局２００は、ＤＬ制御情報信号とプリアンブルのサブキャリアとの対応関係を保持する。そのため、基地局２００のプリアンブル検出部２０３は、プリアンブルに対してＦＦＴ処理を行い、サブキャリア毎の受信電力成分を得ることによって、端末１００によってプリアンブルが配置されたサブキャリアを判定し、対応関係を参照することによって、端末１００が正しく受信できなかったＤＬ制御情報信号を判定する。これにより、ＤＬ制御情報信号が複数になった場合であっても、端末１００は、基地局２００に対して、正しく受信できなかったＤＬ制御情報信号を示すフィードバック情報を送信することができる。
【００９５】
また、この変形例２において、図９Ａ、図９Ｂいずれの場合であっても、プリアンブルが配置されるサブキャリアの間隔は、ＵＬ信号に用いられるＯＦＤＭ伝送のサブキャリア間隔の２倍、または、２の整数倍に広がる。そのため、実施の形態１で説明したように、プリアンブルは、互いに同一の２つの信号成分が時間軸方向に並ぶ周期信号となる。
【００９６】
なお、上記で説明したプリアンブル配置はあくまで一例であり、本発明においては、ＤＬ制御情報信号が正しく受信できた場合と正しく受信できなかった場合とが、基地局２００において識別可能であれば、別のプリアンブル配置も可能である。例えば、ＤＬ制御情報信号が正しく受信できなかった場合、端末１００において、０を除く４の倍数のサブキャリア番号（例えば、＃±４、＃±８、・・・）に対応するサブキャリアにはプリアンブルを配置せず、０を除く、２の倍数であって４の倍数では無いサブキャリア番号（例えば、＃±２、＃±６、・・・）に対応するサブキャリアのみにプリアンブルを配置することも可能である。
【００９７】
また、ＤＬ制御情報信号が正しく受信できた場合においても、ＤＬ信号の通信品質が良好でないため、ＤＬ信号を送信する周波数の変更を端末が基地局に対して指示する場合等においては、端末はプリアンブルを配置するサブキャリアを変更してもよい。この場合、ＤＬ制御情報信号が正しく受信できなかった場合とは異なるサブキャリアにプリアンブルを配置してもよい。例えば、ＤＬ制御情報信号が正しく受信できたが、周波数を変更したい場合においては、サブキャリア＃０すなわち直流成分にプリアンブルを配置する等が可能である。通信環境によっては、ＤＬ信号の方がＵＬ信号より他システムからの干渉の影響が大きい場合も考えられるため、このような動作も有効である。
【００９８】
つまり、端末は、基地局にフィードバックする情報に応じてプリアンブルを配置するサブキャリアを変更することによって、端末がＤＬ信号を正常に受信できたか否かを示すフィードバック情報（つまり、ＡＣＫ／ＮＡＣＫの情報）の他に、様々な情報（例えば、ＤＬ信号の送信周波数の変更を指示する情報）を基地局に対してフィードバックすることができる。その際、端末と基地局との間で、プリアンブルを配置するサブキャリアとフィードバック情報との対応関係を共通にすることにより、基地局は、端末からのフィードバック情報を識別できる。
【００９９】
（実施の形態２）
実施の形態１では、誤り検出の結果に基づいて、プリアンブルを配置するサブキャリアを変更する例について説明した。本実施の形態２では、誤り検出の結果に基づいて、プリアンブルの一部の極性を変更する例について説明する。
【０１００】
＜端末の構成＞
図１０は、本実施の形態２に係る端末３００の構成を示す図である。なお、図１０において、図１と同様の構成については同一の符番を付し、その説明を省略する。具体的に、図１０に示す端末３００は、図１の端末１００に対して、プリアンブル設定部３０５の構成が異なる。
【０１０１】
プリアンブル設定部３０５は、配置部３０５ａと、逆フーリエ変換部３０５ｂと、極性変更部３０５ｃとを有し、誤り検出部１０３から取得する誤り検出結果に基づいてプリアンブルを設定する。
【０１０２】
配置部３０５ａは、ＯＦＤＭ伝送に用いられるサブキャリア群（第１のサブキャリア群）の一部のサブキャリアからなるサブキャリア群（第４のサブキャリア群）にプリアンブルを配置する。以下では、一例として、第４のサブキャリア群は、０を除く８の倍数のサブキャリア番号（サブキャリア番号＃−１６、＃−８、＃８、＃１６等）に対応するサブキャリア群として説明する。
【０１０３】
逆フーリエ変換部３０５ｂは、配置部３０５ａにより第４のサブキャリア群に配置されたプリアンブルに対して、ＩＦＦＴ（Inverse Fast Fourier Transform）処理を行い、ベースバンドのプリアンブルを得る。第４のサブキャリア群は、０を除く８の倍数のサブキャリア番号に対応するサブキャリア群であるため、ＩＦＦＴ処理によって得られるプリアンブルは、互いに同一の８つの信号成分が時間軸方向に並ぶ周期信号となる。
【０１０４】
極性変更部３０５ｃは、ＤＬ信号に誤りが無いことを示す誤り検出結果を取得した場合、つまり、ＤＬ信号を正しく受信できた場合、互いに同一の８つの信号成分が時間軸方向に並ぶプリアンブルの極性を変更せずに付加部１０６へ出力する。極性変更部３０５ｃは、ＤＬ信号に誤りが有ることを示す誤り検出結果を取得した場合、つまり、ＤＬ信号を正しく受信できなかった場合、互いに同一の８つの信号成分が時間軸方向に並ぶプリアンブルのうち、一部の信号成分の極性を反転させたプリアンブルを生成し、付加部１０６へ出力する。極性変更部３０５ｃにおける極性反転については、後述する。
【０１０５】
＜基地局の構成＞
次に、本実施の形態２に係る基地局４００の構成例について図１１を用いて説明する。図１１は、本実施の形態２に係る基地局４００の構成例を示すブロック図である。なお、図１１において、図２と同様の構成については同一の符番を付し、その説明を省略する。具体的に、図１１に示す基地局４００は、図２の基地局２００に対して、プリアンブル検出部４０３の構成が異なる。
【０１０６】
プリアンブル検出部４０３は、無線受信部２０１から取得したベースバンド信号に含まれるプリアンブルを抽出する。そして、プリアンブル検出部４０３は、抽出したプリアンブルに基づき、端末３００からのフィードバック情報を判定する。端末３００からのフィードバック情報は、端末３００が基地局４００から送信されたＤＬ信号を正しく受信できたか否かを示す情報である。プリアンブル検出部４０３は、端末３００からのフィードバック情報を送信データ制御部２０４へ出力する。
【０１０７】
具体的に、プリアンブル検出部４０３は、相互相関部４０３ａと、判定部４０３ｂとを備える。
【０１０８】
相互相関部４０３ａは、無線受信部２０１から取得するベースバンド信号に含まれるプリアンブルを抽出し、プリアンブルに対して相互相関処理を行う。相互相関部４０３ａは、は、相互相関処理の結果を判定部４０３ｂへ出力する。相互相関部４０３ａにおける相互相関処理については、後述する。
【０１０９】
判定部４０３ｂは、相互相関処理の結果に基づき、プリアンブルが示すフィードバック情報を判定する。具体的には、前述の通り、ＵＬ信号のプリアンブルは、端末３００が基地局４００から送信されたＤＬ信号を正しく受信できたか否かに応じて、プリアンブルの一部の信号成分の極性が反転される。判定部４０３ｂは、相互相関処理にピークが発生しているか否かに基づいて、端末３００が基地局４００から送信されたＤＬ信号を正しく受信できたか否かを判定する。判定部４０３ｂは、端末１００が基地局２００から送信されたＤＬ信号を正しく受信できたか否かを示すフィードバック情報を送信データ制御部２０４へ出力する。
【０１１０】
＜プリアンブルの構成と相関処理＞
次に、極性変更部３０５ｃにおいて極性反転されたプリアンブルおよび相互相関部４０３ａにおけるプリアンブルの相関処理について、図１２Ａ、図１２Ｂを参照して説明する。図１２Ａは、本実施の形態２におけるプリアンブルと相関結果の第１の例を示す図である。図１２Ｂは、本実施の形態２におけるプリアンブルと相関結果の第２の例を示す図である。
【０１１１】
前述の通り、プリアンブルは、互いに同一の８つの信号成分が時間軸方向に並ぶ周期信号である。図１２Ａ、図１２Ｂでは、ＵＬデータの信号とＧＴとの間に存在するプリアンブルの８つの信号成分に対して、それぞれ、Ｐｒｅａｍｂｌｅ（＃１）〜Ｐｒｅａｍｂｌｅ（＃８）と付している。また、図１２Ｂにおいて、Ｐｒｅａｍｂｌｅ（＃８）の極性が反転した信号成分を、Ｐｒｅａｍｂｌｅ（＃８）’として示している。
【０１１２】
また、相互相関部４０３ａは、相互相関処理の一例として、Ｐｒｅａｍｂｌｅ（＃１）とＰｒｅａｍｂｌｅ（＃１）の極性を反転させた信号成分（以下、Ｐｒｅａｍｂｌｅ（＃１）’と呼ぶ）との組を基準信号とし、この基準信号と、プリアンブル内で隣接する２つの信号成分の組（例えば、Ｐｒｅａｍｂｌｅ（＃１）とＰｒｅａｍｂｌｅ（＃２））との相互相関を順に行う。
【０１１３】
図１２Ａに示す例は、ＤＬ信号が正しく受信できた場合のプリアンブルと、そのプリアンブルに対する相関処理の結果である。図１２Ａに示すように、ＤＬ信号が正しく受信できた場合のプリアンブルに極性の変更が行われない。この場合、例えば、基準信号とＰｒｅａｍｂｌｅ（＃１）およびＰｒｅａｍｂｌｅ（＃２）の組との相互相関は、基準信号のＰｒｅａｍｂｌｅ（＃１）’とＰｒｅａｍｂｌｅ（＃２）とが互いに極性が異なる信号成分であるため、相互相関にピークが発生しない。他の信号成分の組についても、同様に、相互相関にピークが発生しないため、プリアンブルに対する相互相関の相関結果には、ピークが存在しない。
【０１１４】
図１２Ｂに示す例は、ＤＬ信号が正しく受信できなかった場合のプリアンブルと、そのプリアンブルに対する相関処理の結果である。図１２Ｂに示すように、ＤＬ信号が正しく受信できなかった場合のプリアンブルの終端の信号成分であるＰｒｅａｍｂｌｅ（＃８）は、極性の反転が行われている。この場合、基準信号とＰｒｅａｍｂｌｅ（＃７）およびＰｒｅａｍｂｌｅ（＃８）’の組との相互相関は、Ｐｒｅａｍｂｌｅ（＃１）’とＰｒｅａｍｂｌｅ（＃８）’とが互いに極性が同一の信号成分であるため、プリアンブルの終端の位置に相当する位置にピークが発生する。
【０１１５】
判定部４０３ｂは、相互相関の結果、プリアンブルの終端の位置に相当する位置にピークが発生していない場合、端末３００がＤＬ信号を正しく受信できたことを示すフィードバック情報を送信データ制御部２０４へ出力する。判定部４０３ｂは、相互相関の結果、プリアンブルの終端の位置に相当する位置にピークが発生している場合、端末３００がＤＬ信号を正しく受信できなかったことを示すフィードバック情報を送信データ制御部２０４へ出力する。
【０１１６】
＜端末の処理＞
次に、本実施の形態２に係る端末３００の処理の流れについて説明する。端末３００の処理は、図６を参照して説明した端末１００と同様であるが、Ｓ１０３とＳ１０４の詳細な処理が端末１００の処理と異なる。以下、端末３００のＳ１０３とＳ１０４の処理について、図６を援用して説明する。
【０１１７】
Ｓ１０３の処理において、本実施の形態２の場合、プリアンブル設定部３０５は、互いに同一の８つの信号成分が時間軸方向に並ぶプリアンブルを、ＤＬ信号を正しく受信できたことを示すプリアンブルとして設定する。
【０１１８】
Ｓ１０４の処理において、本実施の形態２の場合、プリアンブル設定部３０５は、互いに同一の８つの信号成分が時間軸方向に並ぶプリアンブルのうち、一部の信号成分の極性を反転させたプリアンブルを、ＤＬ信号を正しく受信できなかったことを示すプリアンブルとして設定する。
【０１１９】
＜基地局の処理＞
次に、本実施の形態２に係る基地局４００の処理の流れについて説明する。基地局４００の処理は、図７を参照して説明した端末２００と同様であるが、Ｓ２０２の詳細な処理が基地局２００の処理と異なる。以下、端末４００のＳ２０２の処理について、図７を援用して説明する。
【０１２０】
Ｓ２０２の処理において、本実施の形態２の場合、プリアンブル検出部４０３は、プリアンブルに対して相互相関処理を行い、相互相関処理の結果にピークが存在するか否かに基づいて、端末３００が基地局４００から送信されたＤＬ信号を正しく受信できたか否かを示すフィードバック情報を取得する。
【０１２１】
＜効果＞
以上説明したように本実施の形態２では、端末３００が、プリアンブルの一部の信号成分の極性を判定することによって、ＤＬ信号を正しく受信できたか否かという判定結果に基づいたプリアンブルを設定する。これにより、プリアンブルの中にフィードバック情報が含まれるため、端末３００は、判定結果を示すフィードバック情報を基地局４００に送信するための信号をＵＬ信号の送信期間内に送信する必要が無い。そのため、ＵＬデータの伝送速度を低下させることを抑制しつつ、基地局４００にフィードバック情報を送信することができる。
【０１２２】
また、本実施の形態２では、他の信号（例えば、ＵＬデータの信号）との干渉を回避することができ、マルチパスや同期誤差によるプリアンブル検出精度の劣化を抑制することができる。
【０１２３】
なお、本実施の形態１では、０を除く８の倍数のサブキャリア番号に対応するサブキャリア群（第４のサブキャリア群）にプリアンブルを配置することによって、互いに同一の８つの信号成分が時間軸方向に並ぶ周期信号とするプリアンブルの例について説明した。本開示においては、プリアンブルの周期は、これに限定されない。例えば、第４のサブキャリア群は、ＵＬ信号に用いられるＯＦＤＭ伝送のサブキャリア群（第１のサブキャリア群）のサブキャリア間隔のＮ倍（Ｎは２以上の整数）のサブキャリア間隔を有するサブキャリアから構成されていればよい。この場合、第４のサブキャリア群にプリアンブルを配置することにより生成されるプリアンブルは、互いに同一の信号がＮ個連続した周期信号となる。そして、この場合において、ＤＬ信号が正しく受信できなかった場合、Ｎ個連続した同一の信号のうちの一部の極性を反転させればよい。
【０１２４】
＜実施の形態２の変形例１＞
上述した本実施の形態２では、ＤＬ信号が正しく受信できたか否かという誤り検出の結果に基づいて、プリアンブルの一部の信号成分の極性を変更する例について説明した。本実施の形態２の変形例１では、ＤＬ信号が複数の信号（ＤＬ制御情報信号）を有し、誤り検出部１０３が複数の信号から得られるデータそれぞれに対して誤り検出を行う例について、図１３Ａ、図１３Ｂを参照して説明する。
【０１２５】
なお、以下では、ＤＬ信号が、７つのＤＬ制御情報信号（ＤＬ制御情報信号＃１〜ＤＬ制御情報信号＃７）を含むとして説明する。
【０１２６】
図１３Ａは、本実施の形態２におけるプリアンブルと相関結果の第３の例を示す図である。図１３Ｂは、本実施の形態２におけるプリアンブルと相関結果の第４の例を示す図である。図１３Ａ、図１３Ｂでは、ＵＬデータの信号とＧＴとの間に存在するプリアンブルの８つの信号成分に対して、それぞれ、Ｐｒｅａｍｂｌｅ（＃１）〜Ｐｒｅａｍｂｌｅ（＃８）と付している。また、図１３Ａにおいて、Ｐｒｅａｍｂｌｅ（＃２）の極性が反転した信号成分を、Ｐｒｅａｍｂｌｅ（＃２）’として示している。また、図１３Ｂにおいて、Ｐｒｅａｍｂｌｅ（＃５）の極性が反転した信号成分を、Ｐｒｅａｍｂｌｅ（＃５）’として示している。
【０１２７】
なお、相互相関部４０３ａにおけるプリアンブルに対する相互相関処理は、図１２Ａ、図１２Ｂを参照して説明した処理と同様である。
【０１２８】
図１３Ａに示す例は、ＤＬ制御情報信号＃１が正しく受信できなかった場合のプリアンブルの例である。図１３Ａに示すように、プリアンブルの２番目の信号成分（Ｐｒｅａｍｂｌｅ（＃２））の極性が反転される。この場合、基準信号とＰｒｅａｍｂｌｅ（＃１）およびＰｒｅａｍｂｌｅ（＃２）’の組との相互相関は、Ｐｒｅａｍｂｌｅ（＃１）’とＰｒｅａｍｂｌｅ（＃２）’とが互いに極性が同一の信号成分であるため、Ｐｒｅａｍｂｌｅ（＃２）’の位置に相当する位置にピークが発生する。
【０１２９】
図１３Ｂに示す例は、ＤＬ制御情報信号＃４が正しく受信できなかった場合のプリアンブルの例である。図１３Ｂに示すように、プリアンブルの５番目の信号成分（Ｐｒｅａｍｂｌｅ（＃５））の極性が反転される。この場合、基準信号とＰｒｅａｍｂｌｅ（＃４）およびＰｒｅａｍｂｌｅ（＃５）’の組との相互相関は、Ｐｒｅａｍｂｌｅ（＃１）’とＰｒｅａｍｂｌｅ（＃５）’とが互いに極性が同一の信号成分であるため、Ｐｒｅａｍｂｌｅ（＃５）’の位置に相当する位置にピークが発生する。
【０１３０】
同様に、ＤＬ制御情報信号＃ｋ（ｋは１以上７以下の整数）が正しく受信できなかった場合、プリアンブルのｋ＋１番目の信号成分（Ｐｒｅａｍｂｌｅ（＃ｋ＋１））の極性が反転される。また、正しく受信できなかったＤＬ制御情報信号が複数存在する場合も、同様に、該当するプリアンブルの複数の信号成分の極性が反転される。ただし、複数の連続するプリアンブルの信号成分を同時に極性反転する、例えばプリアンブル＃５と＃６を同時に極性反転すると、受信側で相関検出が正しくできなくなることが懸念される。このため、複数のプリアンブルの信号成分を連続して極性反転しないようにする必要がある。
【０１３１】
端末３００と基地局４００は、ＤＬ制御情報信号とプリアンブルの信号成分の極性が反転される位置との対応関係を保持する。そのため、基地局４００のプリアンブル検出部４０３は、プリアンブルに対して相関処理を行い、相関処理のピークの位置を探索することによって、端末３００が極性を反転したプリアンブルの信号成分の位置を判定する。そして、プリアンブル検出部４０３は、対応関係を参照することによって、端末３００が正しく受信できなかったＤＬ制御情報信号を判定する。これにより、ＤＬ制御情報信号が複数になった場合であっても、端末３００は、基地局４００に対して、正しく受信できなかったＤＬ制御情報信号を示すフィードバック情報を送信することができる。
【０１３２】
（実施の形態３）
本実施の形態３では、基地局と端末とを含む無線通信システムが複数の周波数帯を用いる例について説明する。なお、以下の説明では、無線通信システムが第１の周波数帯（ｆ１）と第２の周波数帯（ｆ２）との２つの周波数帯を用いる例を一例として説明する。そして、第１の周波数帯を用いて送受信されるＵＬ信号、ＤＬ信号をそれぞれ第１のＵＬ信号、第１のＤＬ信号とし、第２の周波数帯を用いて送受信されるＵＬ信号、ＤＬ信号をそれぞれ第２のＵＬ信号、第２のＤＬ信号として説明する。また、本実施の形態３では、第１のＤＬ信号と第２のＤＬ信号とを合せて、１つのＤＬ信号として説明する。
【０１３３】
＜端末の構成＞
本実施の形態３に係る端末５００の構成例について図１４を用いて説明する。図１４は、本実施の形態３に係る端末５００の構成例を示すブロック図である。
【０１３４】
図１４に示すように、端末５００は、無線受信部５０１と、ベースバンド受信処理部５０２と、誤り検出部５０３と、ベースバンド送信処理部５０４と、プリアンブル設定部５０５と、付加部５０６と、無線送信部５０７と、から主に構成される。
【０１３５】
無線受信部５０１は、アンテナに受信された第１のＤＬ信号に対して、増幅、フィルタリング等の無線受信処理を行う。そして、無線受信部５０１は、無線受信処理後の信号に対して第１の周波数帯に応じたダウンコンバートを行い、第１のベースバンド信号を得る。同様に、無線受信部５０１は、アンテナに受信された第２のＤＬ信号に対して、増幅、フィルタリング等の無線受信処理を行う。そして、無線受信部５０１は、無線受信処理後の信号に対して第２の周波数帯に応じたダウンコンバートを行い、第２のベースバンド信号を得る。そして、無線受信部５０１は、第１および第２のベースバンド信号をベースバンド受信処理部５０２に出力する。
【０１３６】
ベースバンド受信処理部５０２は、無線受信部５０１から取得した第１および第２のベースバンド信号に対して、ＦＦＴ（Fast Fourier Transform）処理、復調処理等のベースバンド受信処理を行う。そして、ベースバンド受信処理部５０２は、ベースバンド受信処理が行われた受信データを誤り検出部５０３へ出力する。
【０１３７】
誤り検出部５０３は、ベースバンド受信処理が行われた受信データの誤りの有無を検出する。誤り検出部５０３は、誤り検出結果をプリアンブル設定部５０５に出力する。また、誤り検出部５０３は、誤りが検出されなかった場合、受信データを出力する。
【０１３８】
なお、本実施の形態３における誤り検出部５０３は、第１のＤＬ信号と第２のＤＬ信号から構成されるＤＬ信号の受信データを１つの処理対象として誤り検出を行う。
【０１３９】
ベースバンド送信処理部５０４は、送信データ（ＵＬデータ）に対して誤り訂正符号化および変調を行い、ＩＦＦＴ（Inverse Fast Fourier Transform）処理を行い、第１のＵＬ信号用の送信データのベースバンド信号、および、第２のＵＬ信号用の送信データのベースバンド信号を得る。そして、ベースバンド送信処理部５０４は、２つの送信データのベースバンド信号それぞれを付加部５０６へ出力する。
【０１４０】
プリアンブル設定部５０５は、配置部５０５ａと、逆フーリエ変換部５０５ｂと、極性変更部５０５ｃとを有し、誤り検出部５０３から取得する誤り検出結果に基づいてプリアンブルを設定する。
【０１４１】
なお、本実施の形態３では、まず、プリアンブル設定部５０５が極性変更部５０５ｃを含まない例を説明する。そのため、図１４の極性変更部５０５ｃは、点線を用いて示されている。プリアンブル設定部５０５が極性変更部５０５ｃを含む例については、後述の本実施の形態３の変形例として説明する。
【０１４２】
配置部５０５ａは、ＤＬ信号に誤りが無いことを示す誤り検出結果を取得した場合、つまり、ＤＬ信号を正しく受信できた場合、第１のＵＬ信号用のプリアンブル（第１のプリアンブル）を生成するためのプリアンブルのデータを配置し、第２のＵＬ信号用のプリアンブル（第２のプリアンブル）を生成するためのプリアンブルのデータを配置しない。また、配置部５０５ａは、ＤＬ信号に誤りが有ることを示す誤り検出結果を取得した場合、つまり、ＤＬ信号を正しく受信できなかった場合、第２のプリアンブルを生成するためのプリアンブルのデータを配置し、第１のプリアンブルを生成するためのプリアンブルのデータを配置しない。なお、プリアンブルのデータは、予め既知のシンボルデータ等である。
【０１４３】
逆フーリエ変換部５０５ｂは、配置部５０５ａにより配置されたプリアンブルに対して、ＩＦＦＴ（Inverse Fast Fourier Transform）処理を行い、ベースバンドのプリアンブルを得る。
【０１４４】
前述の通り、本実施の形態３では、まず、プリアンブル設定部５０５が極性変更部５０５ｃを含まない例を説明する。そのため、逆フーリエ変換部５０５ｂは、ベースバンドのプリアンブルを付加部５０６へ出力する。配置部５０５ａが第１のプリアンブルまたは第２のプリアンブルのいずれか一方を生成するためのプリアンブルを配置するため、逆フーリエ変換部５０５ｂは、第１のプリアンブルまたは第２のプリアンブルのいずれか一方を付加部５０６へ出力する。
【０１４５】
一方で、本実施の形態３の変形例では、逆フーリエ変換部５０５ｂは、ベースバンドのプリアンブルを極性変更部５０５ｃへ出力する。本実施の形態３の変形例の詳細については後述する。
【０１４６】
極性変更部５０５ｃは、誤り検出結果に基づいて、プリアンブルの一部の信号成分を変更する。例えば、極性変更部５０５ｃは、プリアンブルの一部の信号成分をヌル信号に変更する。また、極性変更部５０５ｃは、プリアンブルの一部の信号成分の極性を反転する。なお、本実施の形態３では、プリアンブル設定部５０５が極性変更部５０５ｃを含まない例を説明し、極性変更部５０５ｃが極性を変更する例については、本実施の形態３の変形例として説明する。
【０１４７】
付加部５０６は、図３に示したフレーム構成に基づき、第１のＵＬ信号用の送信データのベースバンド信号に第１のプリアンブルを付加し、第２のＵＬ信号用の送信データのベースバンド信号に第２のプリアンブルを付加する。その際、付加部５０６は、第１のプリアンブルまたは第２のプリアンブルのいずれか一方を取得する場合、取得したプリアンブルを対応するＵＬデータのベースバンド信号に付加する。
【０１４８】
無線送信部５０７は、付加部５０６から取得した２つのベースバンドの送信信号に対して、増幅、フィルタリング等の無線送信処理を行う。そして、無線送信部５０７は、無線送信処理後の信号に対して、送信に用いられる周波数帯に応じたアップコンバートを行い、第１のＵＬ信号および第２のＵＬ信号を得る。そして、無線送信部５０７は、アンテナから２つのＵＬ信号を送信する。
【０１４９】
つまり、本実施の形態３では、プリアンブル設定部５０５は、ＤＬ信号を正しく受信できたか否かに基づいて、プリアンブルを付加する周波数帯を変更する。詳細には、プリアンブル設定部５０５は、ＤＬ信号を正しく受信できた場合、第１の周波数帯を用いて送信されるＵＬ信号にプリアンブルを付加し、ＤＬ信号を正しく受信できなかった場合、第２の周波数帯を用いて送信されるＵＬ信号にプリアンブルを付加する。
【０１５０】
なお、上記の実施の形態３では、複数の周波数帯を用いてＤＬ信号を受信する場合に、誤り検出結果が１つである場合について示したが、本発明はこれに限定されることなく、ＤＬ信号を１周波数のみから送信する場合においても、同様に適用可能である。
【０１５１】
＜基地局の構成＞
本実施の形態３に係る基地局６００の構成例について図１５を用いて説明する。図１５は、本実施の形態３に係る基地局６００の構成例を示すブロック図である。
【０１５２】
図１５に示すように、基地局６００は、無線受信部６０１と、ベースバンド受信処理部６０２と、プリアンブル検出部６０３と、送信データ制御部６０４と、ベースバンド送信処理部６０５と、プリアンブル付加部６０６と、無線送信部６０７と、から主に構成される。
【０１５３】
無線受信部６０１は、アンテナに受信された第１のＵＬ信号に対して、増幅、フィルタリング等の無線受信処理を行う。そして、無線受信部６０１は、無線受信処理後の信号に対して第１の周波数帯に応じたダウンコンバートを行い、第１のベースバンド信号を得る。同様に、無線受信部６０１は、アンテナに受信された第２のＵＬ信号に対して、増幅、フィルタリング等の無線受信処理を行う。そして、無線受信部６０１は、無線受信処理後の信号に対して第２の周波数帯に応じたダウンコンバートを行い、第２のベースバンド信号を得る。そして、無線受信部６０１は、第１および第２のベースバンド信号をベースバンド受信処理部６０２およびプリアンブル検出部６０３に出力する。
【０１５４】
ベースバンド受信処理部６０２は、無線受信部６０１から取得した第１および第２のベースバンド信号に含まれるプリアンブルを用いて同期検波処理を行う。そして、ベースバンド受信処理部６０２は、第１および第２ベースバンド信号それぞれに含まれるＵＬデータの信号に対して、ＦＦＴ（Fast Fourier Transform）処理等のベースバンド受信処理を行う。そして、ベースバンド受信処理部６０２は、ベースバンド受信処理が行われた受信データを出力する。
【０１５５】
なお、前述の通り、第１の周波数帯を用いて送信されるＵＬ信号と第２の周波数帯を用いて送信されるＵＬ信号とのいずれか一方にプリアンブルが付加される。ベースバンド受信処理部６０２は、いずれか一方に付加されているプリアンブルに基づいて、プリアンブルが付加されていない方の同期検波処理を行う。
【０１５６】
プリアンブル検出部６０３は、無線受信部６０１から取得した第１および第２のベースバンド信号に含まれるプリアンブルを抽出する。そして、プリアンブル検出部６０３は、抽出したプリアンブルに基づき、端末５００からのフィードバック情報を判定する。端末５００からのフィードバック情報は、端末５００が基地局６００から送信されたＤＬ信号を正しく受信できたか否かを示す情報である。プリアンブル検出部６０３は、端末６００からのフィードバック情報を送信データ制御部６０４へ出力する。
【０１５７】
具体的に、プリアンブル検出部６０３は、電力算出部６０３ａと、判定部６０３ｂとを備える。
【０１５８】
電力算出部６０３ａは、図３に示したようなフレーム構成に基づき、第１および第２のベースバンド信号のプリアンブルの位置の信号を抽出する。そして、電力算出部６０３ａは、抽出したプリアンブルの電力を算出する。電力算出部６０３ａは、第１のベースバンド信号のプリアンブルの電力および第２のベースバンド信号のプリアンブルの電力を判定部６０３ｂへ出力する。
【０１５９】
判定部６０３ｂは、第１のベースバンド信号のプリアンブルの電力および第２のベースバンド信号のプリアンブルの電力に基づき、プリアンブルが示すフィードバック情報を判定する。具体的には、前述の通り、端末５００のプリアンブル設定部５０５は、ＤＬ信号を正しく受信できたか否かに基づいて、プリアンブルを付加する周波数帯を変更する。そのため、判定部６０３ｂは、第１のベースバンド信号のプリアンブルの電力および第２のベースバンド信号のプリアンブルの電力と所定の閾値とを比較することによって、プリアンブルが付加された周波数帯を判定し、端末５００が基地局６００から送信されたＤＬ信号を正しく受信できたか否かを判定する。判定部６０３ｂは、端末５００が基地局６００から送信されたＤＬ信号を正しく受信できたか否かを示すフィードバック情報を送信データ制御部６０４へ出力する。
【０１６０】
送信データ制御部６０４は、フィードバック情報に基づいて、送信するデータを選択する。具体的には、送信データ制御部６０４は、過去に送信した送信データを保持するバッファを有する。そして、送信データ制御部６０４は、端末５００が基地局６００から送信されたＤＬ信号を正しく受信できたことを示すフィードバック情報を取得した場合、バッファに保持する過去の送信データをベースバンド送信処理部６０５へ出力する。送信データ制御部６０４は、端末５００が基地局６００から送信されたＤＬ信号を正しく受信できたことを示すフィードバック情報を取得した場合、現時点で取得する送信データをベースバンド送信処理部６０５へ出力する。なお、基地局６００から送信される送信データは、例えば、端末５００へ送信する制御情報（ＤＬ制御情報）である。
【０１６１】
ベースバンド送信処理部６０５は、送信データに対して誤り訂正符号化および変調を行い、ＩＦＦＴ（Inverse Fast Fourier Transform）処理を行い、ベースバンド信号を得る。そして、ベースバンド送信処理部６０５は、ベースバンド信号をプリアンブル付加部６０６へ出力する。
【０１６２】
プリアンブル付加部６０６は、ベースバンド信号に対してプリアンブルを付加し、プリアンブルを含むベースバンド信号を無線送信部６０７へ出力する。
【０１６３】
無線送信部６０７は、プリアンブルを含むベースバンド信号に対して、増幅、フィルタリング等の無線送信処理を行う。そして、無線送信部６０７は、無線送信処理後の信号に対して第１の周波数帯および第２の周波数帯それぞれに応じたアップコンバートを行い、第１のＤＬ信号および第２のＤＬ信号を得る。そして、無線送信部６０７は、アンテナから第１のＤＬ信号および第２のＤＬ信号を送信する。
【０１６４】
＜プリアンブルの例＞
本実施の形態３におけるプリアンブルの配置例について、図１６Ａ、図１６Ｂを参照して説明する。図１６Ａは、本実施の形態３におけるプリアンブル配置の第１の例を示す図である。図１６Ｂは、本実施の形態３におけるプリアンブル配置の第２の例を示す図である。
【０１６５】
図１６Ａ、図１６Ｂには、第１の周波数帯（ｆ１）と第２の周波数帯（ｆ２）とのそれぞれにおけるＵＬ信号とＤＬ信号とが示されている。
【０１６６】
図１６Ａに示す例は、ＤＬ信号が正しく受信できた場合のプリアンブルの配置例である。図１６Ａに示すように、第１の周波数帯のＵＬ信号にはプリアンブルが付加され、第２の周波数帯のＵＬ信号にはプリアンブルが付加されていない。
【０１６７】
図１６Ｂに示す例は、ＤＬ信号が正しく受信できなかった場合のプリアンブルの配置例である。図１６Ｂに示すように、第２の周波数帯のＵＬ信号にはプリアンブルが付加され、第１の周波数帯のＵＬ信号にはプリアンブルが付加されていない。
【０１６８】
＜端末の処理＞
次に、本実施の形態３に係る端末５００の処理の流れについて説明する。端末５００の処理は、図６を参照して説明した端末１００と同様であるが、Ｓ１０３とＳ１０４の詳細な処理が端末１００の処理と異なる。以下、端末５００のＳ１０３とＳ１０４の処理について、図６を援用して説明する。
【０１６９】
Ｓ１０３の処理において、本実施の形態３の場合、プリアンブル設定部５０５は、第１の周波数帯を用いて送信されるＵＬ信号に付加するプリアンブルを生成し、第２の周波数帯を用いて送信されるＵＬ信号に付加するプリアンブルを生成しない。
【０１７０】
Ｓ１０４の処理において、本実施の形態３の場合、プリアンブル設定部５０５は、第２の周波数帯を用いて送信されるＵＬ信号に付加するプリアンブルを生成し、第１の周波数帯を用いて送信されるＵＬ信号に付加するプリアンブルを生成しない。
【０１７１】
＜基地局の処理＞
次に、本実施の形態３に係る基地局６００の処理の流れについて説明する。基地局６００の処理は、図７を参照して説明した端末２００と同様であるが、Ｓ２０２の詳細な処理が基地局６００の処理と異なる。以下、端末６００のＳ２０２の処理について、図７を援用して説明する。
【０１７２】
Ｓ２０２の処理において、本実施の形態３の場合、プリアンブル検出部６０３は、２つの周波数帯を用いて送信されるＵＬ信号それぞれのプリアンブルの位置の電力を算出し、プリアンブルが付加された周波数帯に基づいて、端末５００が基地局６００から送信されたＤＬ信号を正しく受信できたか否かを示すフィードバック情報を生成する。
【０１７３】
＜効果＞
以上説明したように本実施の形態３では、端末５００が、プリアンブルを付加する周波数帯を変更することによって、ＤＬ信号を正しく受信できたか否かという判定結果に基づいたプリアンブルを設定する。これにより、プリアンブルの中にフィードバック情報が含まれるため、判定結果を示すフィードバック情報を基地局６００に送信するための信号をＵＬ信号の送信期間に送信する必要が無い。そのため、ＵＬデータの伝送速度を低下させることを抑制しつつ、基地局６００にフィードバック情報を送信することができる。
【０１７４】
また、本実施の形態３では、基地局６００において、プリアンブル部分の受信電力に基づいて、各周波数帯のＵＬ信号にプリアンブルが付加されているか否かを判定する。これにより、基地局６００は、端末５００からのフィードバック情報を容易に判定することができる。
【０１７５】
＜実施の形態３の変形例１＞
上述した本実施の形態３では、プリアンブル設定部５０５は、ＤＬ信号を正しく受信できなかった場合、第２の周波数帯を用いて送信されるＵＬ信号にプリアンブルを付加する例について説明した。本実施の形態３の変形例１では、プリアンブル設定部５０５は、ＤＬ信号を正しく受信できなかった場合、第１の周波数帯を用いて送信されるＵＬ信号と第２の周波数帯を用いて送信されるＵＬ信号との両方にプリアンブルを付加する例について説明する。
【０１７６】
図１７は、本実施の形態３におけるプリアンブル配置の第３の例を示す図である。図１７に示す例は、図１６Ｂに示した例と同様に、ＤＬ信号が正しく受信できなかった場合のプリアンブルの配置例である。ただし、図１６Ｂとは異なり、第１の周波数帯のＵＬ信号と、第２の周波数帯のＵＬ信号の両方にプリアンブルが付加されている。
【０１７７】
これにより、第１の周波数帯と第２の周波数帯との両方にプリアンブルが付加されるため、基地局６００におけるプリアンブルの受信電力が改善され、端末５００からのフィードバック情報の判定精度が向上する。
【０１７８】
＜実施の形態３の変形例２＞
上述した本実施の形態３では、ＤＬ信号を正しく受信できたか否かに基づいて、プリアンブルを付加する周波数帯を変更する例について説明した。本実施の形態３の変形例２では、ＤＬ信号が複数の信号（ＤＬ制御情報信号）を有し、誤り検出部５０３が複数の信号から得られるデータそれぞれに対して誤り検出を行う例について、図１８Ａ〜図１８Ｄを参照して説明する。
【０１７９】
なお、変形例２では、ＤＬ信号が、３つのＤＬ制御情報信号（ＤＬ制御情報信号＃１〜ＤＬ制御情報信号＃３）を含むとして説明する。
【０１８０】
図１８Ａは、本実施の形態３におけるプリアンブル配置の第１の変形例を示す図である。図１８Ｂは、本実施の形態３におけるプリアンブル配置の第２の変形例を示す図である。図１８Ｃは、本実施の形態３におけるプリアンブル配置の第３の変形例を示す図である。図１８Ｄは、本実施の形態３におけるプリアンブル配置の第４の変形例を示す図である。図１８Ａ〜図１８Ｄには、第１の周波数帯（ｆ１）と第２の周波数帯（ｆ２）とのそれぞれにおけるＵＬ信号とＤＬ信号とが示されている。また、図１８Ａ〜図１８Ｄに示されるＰｒｅａｍｂｌｅ＿１とＰｒｅａｍｂｌｅ＿２とは、互いに異なるプリアンブルである。
【０１８１】
図１８Ａに示す例は、ＤＬ信号が全て正しく受信できた場合のプリアンブルの配置例である。この例では、第１の周波数帯のＵＬ信号と第２の周波数帯のＵＬ信号とには、互いに同一のＰｒｅａｍｂｌｅ＿１が付加される。
【０１８２】
図１８Ｂに示す例は、ＤＬ制御情報信号＃１が正しく受信できなかった場合のプリアンブルの配置例である。この例では、第１の周波数帯のＵＬ信号にＰｒｅａｍｂｌｅ＿２が付加され、第２の周波数帯のＵＬ信号にＰｒｅａｍｂｌｅ＿１が付加されている。
【０１８３】
図１８Ｃに示す例は、ＤＬ制御情報信号＃２が正しく受信できなかった場合のプリアンブルの配置例である。この例では、第１の周波数帯のＵＬ信号にＰｒｅａｍｂｌｅ＿１が付加され、第２の周波数帯のＵＬ信号にＰｒｅａｍｂｌｅ＿２が付加されている。
【０１８４】
図１８Ｄに示す例は、ＤＬ制御情報信号＃３が正しく受信できなかった場合のプリアンブルの配置例である。この例では、第１の周波数帯のＵＬ信号と第２の周波数帯のＵＬ信号とには、互いに同一のＰｒｅａｍｂｌｅ＿２が付加される。
【０１８５】
端末５００のプリアンブル設定部５０５は、誤り検出部５０３から取得する誤り検出結果が示す複数のＤＬ制御情報信号それぞれの受信の成否に基づいて、図１８Ａ〜図１８Ｄに示すように、第１の周波数帯のＵＬ信号と第２の周波数帯のＵＬ信号に付加するプリアンブルを設定する。
【０１８６】
例えば、配置部５０５ａは、Ｐｒｅａｍｂｌｅ＿１として、図４Ａに示したようなプリアンブルの配置を行う。また、配置部５０５ａは、Ｐｒｅａｍｂｌｅ＿２として、図４Ｂに示したプリアンブルの配置を行う。このように、配置部５０５ａは、プリアンブルを配置するサブキャリアを変更することによって、互いに異なるプリアンブルを設定してもよい。
【０１８７】
そして、この場合、基地局６００のプリアンブル検出部６０３は、各周波数帯のＵＬ信号それぞれに付加されたプリアンブルの種類を検出することによって、フィードバック情報を判定する。例えば、電力算出部６０３ａは、図３に示したようなフレーム構成に基づき、第１の周波数帯および第２の周波数帯のベースバンド信号のプリアンブルを抽出する。そして、電力算出部６０３ａは、抽出したプリアンブルそれぞれに対して、ＦＦＴ処理等を行い、サブキャリア毎の受信信号成分を算出する。そして、判定部６０３ｂは、サブキャリア毎の受信信号成分に基づき、各周波数帯のＵＬ信号に付加されたプリアンブルの種類を判定する。そして、判定部６０３ｂは、端末５００からのフィードバック情報を判定する。
【０１８８】
この変形例２によれば、ＤＬ信号に複数の信号が含まれており、端末がそれぞれの信号の誤り検出の結果を示すフィードバック情報を効率よく、基地局に送信することができる。特に、この変形例２では、複数の周波数帯を用いてＤＬ信号が送信されるため、ＤＬ信号に多くの制御情報信号が含まれる可能性がある。そのような場合であっても、効率よくフィードバック情報を送信できる。
【０１８９】
＜実施の形態３の変形例３＞
本実施の形態３の変形例２では、複数のＤＬ制御情報信号それぞれを正しく受信できたか否かに基づいて、複数の周波数帯に付加するプリアンブルの種類を変更する例について説明した。本実施の形態３の変形例３では、複数のＤＬ制御情報信号それぞれを正しく受信できたか否かに基づいて、プリアンブルの信号成分の一部をヌル信号に置き換える例について、図１９を参照して説明する。
【０１９０】
なお、変形例３では、ＤＬ信号が、８つのＤＬ制御情報信号（ＤＬ制御情報信号＃１〜ＤＬ制御情報信号＃８）を含むとして説明する。また、変形例３では、実施の形態２と同様に、配置部５０５ａが、第１の周波数帯および第２の周波数帯に用いられるプリアンブルとして、０を除く８の倍数のサブキャリア番号（サブキャリア番号＃−１６、＃−８、＃８、＃１６等）に対応するサブキャリア群にプリアンブルを配置する。つまり、第１の周波数帯および第２の周波数帯に用いられるプリアンブルは、互いに同一の８つの信号成分が時間軸方向に並ぶ周期信号である。
【０１９１】
図１９は、本実施の形態３におけるプリアンブル配置の第５の変形例を示す図である。  図１９には、第１の周波数帯（ｆ１）と第２の周波数帯（ｆ２）とのそれぞれにおけるプリアンブルが示されている。また、プリアンブルの８つの信号成分に対して、それぞれ、Ｐｒｅａｍｂｌｅ（＃１）〜Ｐｒｅａｍｂｌｅ（＃８）と付している。
【０１９２】
図１９に示す例は、ＤＬ制御情報信号＃２と、ＤＬ制御情報信号＃７とが正しく受信できなかった場合のプリアンブルの例である。この例では、第１の周波数帯のプリアンブルにおいて、Ｐｒｅａｍｂｌｅ（＃２）と、Ｐｒｅａｍｂｌｅ（＃７）がヌル信号に置き換えられる。また、第２の周波数帯のプリアンブルにおいて、Ｐｒｅａｍｂｌｅ（＃２）と、Ｐｒｅａｍｂｌｅ（７）とを除く信号成分がヌル信号に置き換えられている。
【０１９３】
つまり、変形例３では、第１の周波数帯のプリアンブルにおいて、正しく受信できなかったＤＬ制御情報信号に対応するプリアンブルの信号成分がヌル信号に置き換えられ、第２の周波数帯のプリアンブルにおいて、正しく受信できたＤＬ制御情報信号に対応するプリアンブルの信号成分がヌル信号に置き換えられている。
【０１９４】
端末５００のプリアンブル設定部５０５は、誤り検出部５０３から取得する誤り検出結果が示す複数のＤＬ制御情報信号それぞれの受信の成否に基づいて、図１９に示すように、第１の周波数帯のＵＬ信号と第２の周波数帯のＵＬ信号のプリアンブルの信号成分をヌル信号に置き換える。例えば、極性変更部５０５ｃが信号成分とヌル信号の置換処理を実行してもよい。
【０１９５】
そして、この場合、基地局６００のプリアンブル検出部６０３は、各周波数帯のＵＬ信号それぞれに付加されたプリアンブルのヌル信号の位置を検出することによって、フィードバック情報を判定する。例えば、電力算出部６０３ａは、第１の周波数帯および第２の周波数帯のベースバンド信号のプリアンブルを抽出し、抽出したプリアンブルそれぞれの電力の時間変動を算出する。そして、判定部６０３ｂは、電力の時間変動からヌル信号の位置を判定し、端末５００からのフィードバック情報を判定する。
【０１９６】
この変形例３によれば、ＤＬ信号に複数の信号が含まれている場合に、端末がそれぞれの信号の誤り検出の結果を示すフィードバック情報を効率よく、基地局に送信することができる。特に、この変形例３では、複数の周波数帯を用いてＤＬ信号が送信されるため、ＤＬ信号に多くの制御情報信号が含まれる可能性がある。そのような場合であっても、効率よくフィードバック情報を送信できる。
【０１９７】
＜実施の形態３の変形例４＞
実施の形態３の変形例４では、上述した変形例３に対して、実施の形態２にて説明した極性反転を用いる例について説明する。
【０１９８】
図２０は、本実施の形態３におけるプリアンブル配置の第６の変形例を示す図である。図２０には、図１９と同様に、第１の周波数帯（ｆ１）と第２の周波数帯（ｆ２）とのそれぞれにおけるプリアンブルが示されている。また、プリアンブルの８つの信号成分に対して、それぞれ、Ｐｒｅａｍｂｌｅ（＃１）〜Ｐｒｅａｍｂｌｅ（＃８）と付している。
【０１９９】
図２０に示す例は、ＤＬ制御情報信号＃２、＃３、＃７が正しく受信できなかった場合のプリアンブルの例である。この例では、第１の周波数帯のプリアンブルにおいて、Ｐｒｅａｍｂｌｅ（＃２）とＰｒｅａｍｂｌｅ（＃３）とＰｒｅａｍｂｌｅ（＃７）とがヌル信号に置き換えられる。また、第２の周波数帯のプリアンブルにおいて、Ｐｒｅａｍｂｌｅ（＃２）とＰｒｅａｍｂｌｅ（＃３）Ｐｒｅａｍｂｌｅ（７）とを除く信号成分がヌル信号に置き換えられている。さらに、第２の周波数帯のプリアンブルにおいて、Ｐｒｅａｍｂｌｅ（＃３）の極性が反転されている。
【０２００】
つまり、変形例４では、第１の周波数帯のプリアンブルにおいて、正しく受信できなかったＤＬ制御情報信号に対応するプリアンブルの信号成分がヌル信号に置き換えられ、第２の周波数帯のプリアンブルにおいて、正しく受信できたＤＬ制御情報信号に対応するプリアンブルの信号成分がヌル信号に置き換えられている。そして、第２の周波数帯のプリアンブルにおいて、ヌル信号に置き換えられなかった信号成分が連続している場合、その時間軸方向で後ろに位置する信号成分の極性が反転されている。例えば、極性変更部５０５ｃが信号成分とヌル信号の置換処理および極性反転処理を実行してもよい。
【０２０１】
そして、この場合、基地局６００のプリアンブル検出部６０３は、変形例３と同様に、各周波数帯のＵＬ信号それぞれに付加されたプリアンブルのヌル信号の位置を検出することによって、フィードバック情報を判定する。さらに、この変形例４の場合、プリアンブル検出部６０３は、プリアンブルに対する相関処理を実行することによって、極性反転の位置を示す相関のピーク位置を検出する。
【０２０２】
この変形例４によれば、ＤＬ信号に複数の信号が含まれている場合に、端末がそれぞれの信号の誤り検出の結果を示すフィードバック情報を効率よく、基地局に送信することができる。特に、この変形例４では、複数の周波数帯を用いてＤＬ信号が送信されるため、ＤＬ信号に多くの制御情報信号が含まれる可能性がある。そのような場合であっても、効率よくフィードバック情報を送信できる。
【０２０３】
また、この変形例４によれば、端末がプリアンブルの信号成分の一部を極性反転することにより、基地局が受信時に相互相関を算出した際にピークが発生するため、そのピーク位置に基づいて、プリアンブルのタイミング検出の精度を向上させることができる。
【０２０４】
また、ＤＬ制御情報信号が正しく受信できた場合においても、ＤＬ信号の通信品質が良好でないため、ＤＬ信号を送信する周波数の変更を端末が基地局に対して指示する場合等においては、端末は特定のプリアンブルの信号成分を極性反転する、あるいは特定のプリアンブルの信号成分を周波数ｆ２から送信することも可能である。この場合は、ＤＬ制御情報信号が正しく受信できなかった場合とは異なるプリアンブルの信号成分を、極性反転する、あるいは周波数ｆ２から送信することも可能である。
【０２０５】
つまり、端末は、基地局にフィードバックする情報に応じて特定のプリアンブルの信号成分の極性反転、および／または、特定のプリアンブルの信号成分を周波数ｆ２から送信することによって、端末がＤＬ信号を正常に受信できたか否かを示すフィードバック情報（つまり、ＡＣＫ／ＮＡＣＫの情報）の他に、様々な情報（例えば、ＤＬ信号の送信周波数の変更を指示する情報）を基地局に対してフィードバックすることができる。
【０２０６】
例えば、ＤＬ信号の送信周波数の変更を指示する情報以外に、送信電力の変更を指示する情報、変調方式や誤り訂正の符号化率の変更を指示する情報、送信信号の位相を変更して送信する場合における位相値の変更を指示する情報、インタリーブパターンの変更を指示する情報、変調処理における信号配置（コンスタレーション）の変更を指示する情報、マルチキャリア通信における各サブキャリアに配置する送信信号の変更を指示する情報等も、基地局に対してフィードバックすることができる。
【０２０７】
また、例えば、ＭＩＭＯ通信のように、複数のアンテナを用いて送信を行う場合、送信ストリーム数の変更を指示する情報、各信号を送信するアンテナの変更を指示する情報、複数のアンテナから異なる信号を送信するか同一の情報を送信するかの変更を指示する情報、各アンテナから送信する信号に対して乗算する係数値の変更を指示する情報等も、基地局に対してフィードバックすることができる。
【０２０８】
その際、端末と基地局との間で、極性反転されるプリアンブルの信号成分の位置、および／または、周波数ｆ２から送信されるプリアンブルの信号成分の位置とフィードバック情報との対応関係を共通にすることにより、基地局は、端末からのフィードバック情報を識別できる。
【０２０９】
なお、上記で説明した実施の形態３およびその各変形例は、２つの周波数帯を用いる例として説明したが、本開示はこれに限定されない。ＵＬ信号、および／または、ＤＬ信号の送受信に用いられる周波数帯は、３つ以上であってもよい。
【０２１０】
なお、上記で説明した各実施の形態およびそれらの変形例は、適宜組み合わせても良いし、適宜切替えてもよい。
【０２１１】
例えば、実施の形態３にて説明した方法を使用した後、実施の形態１にて説明した方法と実施の形態２にて説明した方法を一定時間用いることによって、周波数誤差の検出特性の劣化を防ぎ、タイミング検出劣化も防ぐことができる。
【０２１２】
（実施の形態４）
本実施の形態４では、上記各実施の形態およびそれらの変形例において説明した、ＤＬ信号を送信する周波数帯の変更を端末が基地局に対して指示する例について具体的に説明する。
【０２１３】
本実施の形態４では、端末が基地局に対して通信に用いる周波数帯の変更を要求するために、ＵＬ信号のプリアンブルを変更する。プリアンブルの変更方法について、実施の形態１では、プリアンブルデータを配置するサブキャリアの組み合わせを変えることによって、プリアンブルを変更する方法を説明した。実施の形態２では、複数の信号成分からなるプリアンブルの一部の信号成分の極性を反転することによって、プリアンブルを変更する方法を説明した。端末がプリアンブルを変更する方法は、どちらの方法であっても良い。本実施の形態４では、実施の形態２において説明したプリアンブルの変更方法を適用する例について説明する。
【０２１４】
＜端末の構成＞
図２１は、本実施の形態４に係る端末７００の構成例を示すブロック図である。なお、図２１において、図１と同様の構成については同一の符番を付し、その説明を省略する。
【０２１５】
無線受信部７０１は、アンテナに受信された無線信号（ＤＬ信号）に対して、増幅、フィルタリング等の無線受信処理を行う。そして、無線受信部７０１は、無線受信処理後の信号に対して、後述するシンセサイザ７０９から出力されるローカル信号に基づいて、ダウンコンバートし、ベースバンド信号を得る。そして、無線受信部７０１は、ベースバンド信号をベースバンド受信処理部１０２および干渉検出部７０８に出力する。
【０２１６】
干渉検出部７０８は、無線受信部７０１から取得したベースバンド信号のガードタイム区間を検出し、ガードタイムの受信レベル（干渉量）を測定し、測定値をプリアンブル設定部７０５へ出力する。
【０２１７】
プリアンブル設定部７０５は、配置部７０５ａと、逆フーリエ変換部７０５ｂと、極性変更部７０５ｃとを有する。プリアンブル設定部７０５は、誤り検出部１０３から取得する誤り検出結果および干渉検出部７０８から取得する干渉量の測定値に基づいてプリアンブルを設定する。
【０２１８】
配置部７０５ａは、ＯＦＤＭ伝送に用いられるサブキャリア群（第１のサブキャリア群）の一部のサブキャリアからなるサブキャリア群（第４のサブキャリア群）にプリアンブルを配置する。以下では、一例として、第４のサブキャリア群は、０を除く８の倍数のサブキャリア番号（サブキャリア番号＃−１６、＃−８、＃８、＃１６等）に対応するサブキャリア群として説明する。
【０２１９】
逆フーリエ変換部７０５ｂは、配置部７０５ａにより第４のサブキャリア群に配置されたプリアンブルに対して、ＩＦＦＴ（Inverse Fast Fourier Transform）処理を行い、ベースバンドのプリアンブルを得る。第４のサブキャリア群は、０を除く８の倍数のサブキャリア番号に対応するサブキャリア群であるため、ＩＦＦＴ処理によって得られるプリアンブルは、互いに同一の８つの信号成分が時間軸方向に並ぶ周期信号となる。
【０２２０】
極性変更部７０５ｃは、ＤＬ信号に誤りが無いことを示す誤り検出結果を取得した場合、つまり、ＤＬ信号を正しく受信できた場合、互いに同一の８つの信号成分が時間軸方向に並ぶプリアンブルの極性を変更せずに付加部１０６へ出力する。以下、ＤＬ信号を正しく受信できた場合に付加部１０６へ出力されるプリアンブルを、通常のプリアンブルと呼ぶ。
【０２２１】
極性変更部７０５ｃは、ＤＬ信号に誤りが有ることを示す誤り検出結果を取得した場合、つまり、ＤＬ信号を正しく受信できなかった場合、かつ、干渉量の測定値が所定値未満の場合、つまり、周波数帯の変更が必要では無い場合、互いに同一の８つの信号成分が時間軸方向に並ぶプリアンブルのうち、第１の信号成分の極性を反転させたプリアンブルを生成し、付加部１０６へ出力する。第１の信号成分は、複数の信号成分であっても良い。以下、ＤＬ信号を正しく受信できなかった場合、かつ、周波数帯の変更が必要では無い場合に付加部１０６へ出力されるプリアンブルを、再送要求用プリアンブルと呼ぶ。
【０２２２】
極性変更部７０５ｃは、ＤＬ信号に誤りが有ることを示す誤り検出結果を取得した場合、つまり、ＤＬ信号を正しく受信できなかった場合、かつ、干渉量の測定値が所定値以上の場合、つまり、周波数帯の変更が必要であると判断する場合、互いに同一の８つの信号成分が時間軸方向に並ぶプリアンブルのうち、第２の信号成分の極性を反転させたプリアンブルを生成し、付加部１０６へ出力する。第２の信号成分は、複数の信号成分であっても良い。第１の信号成分は、第２の信号成分として含まれていない信号成分を少なくとも１つ含む。以下、ＤＬ信号を正しく受信できなかった場合、かつ、周波数帯の変更が必要である場合に付加部１０６へ出力されるプリアンブルを、周波数変更要求用プリアンブルと呼ぶ。
【０２２３】
極性変更部７０５ｃから付加部１０６へ出力される、通常のプリアンブルと、再送要求用プリアンブルと、周波数変更要求用プリアンブルとは、互いに異なるプリアンブルである。また、プリアンブルの違いと端末７００からフィードバックする情報との対応関係は、端末７００と後述する基地局８００との間で既知である。
【０２２４】
なお、極性変更部７０５ｃにおける極性反転については、後述する。
【０２２５】
また、極性変更部７０５ｃは、周波数変更要求用プリアンブルを付加部１０６へ出力する場合、ローカル信号のキャリア周波数の変更指示を、後述するシンセサイザ７０９へ出力する。
【０２２６】
無線送信部７０７は、付加部１０６から取得したベースバンドの送信信号に対して、増幅、フィルタリング等の無線送信処理を行う。そして、無線送信部７０７は、無線送信処理後の信号に対して、後述するシンセサイザ７０９から出力されるローカル信号に基づいてアップコンバートし、無線信号（ＵＬ信号）を得る。そして、無線送信部７０７は、アンテナからＵＬ信号を送信する。
【０２２７】
シンセサイザ７０９は、キャリア周波数のローカル信号を発生させて無線受信部７０１および無線送信部７０７に出力する。シンセサイザ７０９は、周波数帯の変更指示を極性変更部７０５ｃから取得した場合、次のＤＬ信号を受信するタイミングから、発生させるローカル信号のキャリア周波数を変更する。例えば、シンセサイザ７０９は、端末７００と基地局８００との間で予め決められた順に基づいて、キャリア周波数を変更する。例えば、現在通信に使用している周波数帯Ｆ１、および、通信に使用していない周波数帯Ｆ２、Ｆ３の３つの周波数帯が使用可能な周波数帯であり、Ｆ１、Ｆ２、Ｆ３の順で巡回して周波数帯を変更することが、端末７００と基地局８００との間で予め決められている場合、シンセサイザ７０９は、次のＤＬ信号を受信するタイミングから、発生させるローカル信号のキャリア周波数を周波数帯Ｆ１に対応するキャリア周波数から周波数帯Ｆ２に対応するキャリア周波数へ変更する。
【０２２８】
なお、以降の説明において、シンセサイザが、周波数帯に対応するキャリア周波数を変更することを、適宜、周波数帯を変更する、として説明する。
【０２２９】
＜基地局の構成＞
次に、本実施の形態４に係る基地局８００の構成例について図２２を用いて説明する。図２２は、本実施の形態４に係る基地局８００の構成例を示すブロック図である。なお、図２２において、図２と同様の構成については同一の符番を付し、その説明を省略する。
【０２３０】
無線受信部８０１は、アンテナに受信された無線信号（ＵＬ信号）に対して、増幅、フィルタリング等の無線受信処理を行う。そして、無線受信部８０１は、無線受信処理後の信号に対して、後述するシンセサイザ８０９から出力されるローカル信号に基づいて、ダウンコンバートし、ベースバンド信号を得る。そして、無線受信部８０１は、ベースバンド信号をベースバンド受信処理部２０２、プリアンブル検出部８０３に出力する。
【０２３１】
プリアンブル検出部８０３は、無線受信部８０１から取得したベースバンド信号に含まれるプリアンブルを抽出する。そして、プリアンブル検出部８０３は、抽出したプリアンブルに基づき、端末７００からのフィードバック情報を判定する。端末７００からのフィードバック情報は、端末７００が基地局８００から送信されたＤＬ信号を正しく受信できたか否かを示す情報、および、端末７００が周波数帯の変更を要求するか否かを示す情報を含む。ここで、ＤＬ信号を正しく受信できないというのは、受信したＤＬ信号に誤りが発生した場合や同期検出ができなかった場合等を意味する。また、周波数帯の変更を要求する場合とは、端末７００が検出した現在使用中の周波数帯の干渉量が所定値以上である場合等を意味する。
【０２３２】
前述の通り、端末７００は、基地局８００から送信されたＤＬ信号を正しく受信できたか否か、および、周波数帯の変更を要求するか否かに応じて、プリアンブルを変更し、通常のプリアンブル、再送要求用プリアンブル、周波数変更要求用プリアンブルのいずれか１つを送信する。
【０２３３】
プリアンブル検出部８０３は、端末７００からのフィードバック情報を送信データ制御部８０４およびシンセサイザ８０９へ出力する。
【０２３４】
具体的に、プリアンブル検出部８０３は、相互相関部８０３ａと、判定部８０３ｂとを備える。
【０２３５】
相互相関部８０３ａは、無線受信部８０１から取得するベースバンド信号に含まれるプリアンブルを抽出し、プリアンブルに対して相互相関処理を行う。相互相関部８０３ａは、は、相互相関処理の結果を判定部８０３ｂへ出力する。相互相関部８０３ａにおける相互相関処理については、後述する。
【０２３６】
判定部８０３ｂは、相互相関処理の結果に基づき、プリアンブルが示すフィードバック情報を判定する。具体的には、前述の通り、ＵＬ信号のプリアンブルは、通常のプリアンブルと、再送要求用プリアンブルと、周波数変更要求用プリアンブルの３つのプリアンブルのうちのいずれか１つである。そして、通常のプリアンブルは、信号成分の極性が反転されないプリアンブルであり、再送要求用プリアンブルと周波数変更要求用プリアンブルでは、極性が反転される信号成分が互いに異なる。判定部８０３ｂは、相互相関処理にピークが発生しているか否か、および、ピークの位置に基づいて、端末７００から受信したプリアンブルを判定する。
【０２３７】
判定部８０３ｂは、端末７００から受信したプリアンブルが通常のプリアンブルであると判定した場合、次に送信する送信データを出力する指示を送信データ制御部８０４へ出力する。判定部８０３ｂは、端末７００から受信したプリアンブルが再送要求用プリアンブルであると判定した場合、過去の送信データを出力する指示を送信データ制御部８０４へ出力する。判定部８０３ｂは、端末７００から受信したプリアンブルが周波数変更要求用プリアンブルであると判定した場合、過去の送信データを再送する指示を送信データ制御部８０４へ出力し、周波数帯を変更する指示をシンセサイザ８０９へ出力する。
【０２３８】
送信データ制御部８０４は、プリアンブル検出部８０３から取得する指示に基づいて、送信するデータを設定する。具体的には、送信データ制御部８０４は、過去に送信した送信データを保持するバッファを有する。そして、送信データ制御部８０４は、次に送信する送信データを出力する指示を取得した場合、現時点で取得する送信データをベースバンド送信処理部２０５へ出力する。送信データ制御部８０４は、過去の送信データを再送する指示を取得した場合、バッファに保持する過去の送信データをベースバンド送信処理部２０５へ出力する。なお、基地局８００から送信される送信データは、例えば、端末７００へ送信する制御情報（ＤＬ制御情報）である。
【０２３９】
無線送信部８０７は、プリアンブルを含むベースバンド信号に対して、増幅、フィルタリング等の無線送信処理を行う。そして、無線送信部８０７は、無線送信処理後の信号に対して、後述するシンセサイザ８０９から出力されるローカル信号を用いてアップコンバートし、無線信号を得る。そして、無線送信部８０７は、アンテナから無線信号（ＤＬ信号）を送信する。
【０２４０】
シンセサイザ８０９は、キャリア周波数のローカル信号を発生させて無線受信部８０１および無線送信部８０７に出力する。シンセサイザ８０９は、プリアンブル検出部８０３から取得する指示に基づいて、発生させるローカル信号のキャリア周波数を変更する。具体的には、シンセサイザ８０９は、プリアンブル検出部８０３から周波数帯を変更する指示を取得した場合、次のＤＬ信号を送信するタイミングから、発生させるローカル信号のキャリア周波数を変更する。例えば、シンセサイザ８０９は、上述したシンセサイザ７０９と同様に、端末７００と基地局８００との間で予め決められた順に基づいて、周波数帯を変更する。
【０２４１】
＜プリアンブルの構成と相関処理＞
本実施の形態４の極性変更部７０５ｃにおける極性反転および相互相関部８０３ａにおけるプリアンブルの相関処理については、実施の形態２と同様である。以下、図１２Ａ、図１３Ａ、図１３Ｂを援用して、通常のプリアンブルと、再送要求用プリアンブルと、周波数変更要求用プリアンブルについて説明する。
【０２４２】
前述の通り、本実施の形態４におけるプリアンブルは、互いに同一の８つの信号成分が時間軸方向に並ぶ周期信号である。図１２Ａ、図１３Ａ、図１３Ｂでは、ＵＬデータの信号とＧＴとの間に存在するプリアンブルの８つの信号成分に対して、それぞれ、Ｐｒｅａｍｂｌｅ（＃１）〜Ｐｒｅａｍｂｌｅ（＃８）と付している。また、図１３Ａにおいて、Ｐｒｅａｍｂｌｅ（＃２）の極性が反転した信号成分を、Ｐｒｅａｍｂｌｅ（＃２）’として示している。また、図１３Ｂにおいて、Ｐｒｅａｍｂｌｅ（＃５）の極性が反転した信号成分を、Ｐｒｅａｍｂｌｅ（＃５）’として示している。
【０２４３】
例えば、通常のプリアンブルは、図１２Ａに示したプリアンブル、つまり、信号成分に極性の変更が行われていないプリアンブルである。また、例えば、上述した第１の信号成分がＰｒｅａｍｂｌｅ（＃２）の場合の再送要求用プリアンブルは、図１３Ａに示したプリアンブル、つまり、Ｐｒｅａｍｂｌｅ（＃２）の極性が反転したプリアンブルである。また、上述した第２の信号成分がＰｒｅａｍｂｌｅ（＃５）の場合の周波数変更要求用プリアンブルは、図１３Ｂに示したプリアンブル、つまり、Ｐｒｅａｍｂｌｅ（＃５）’の極性が反転したプリアンブルである。
【０２４４】
判定部８０３ｂは、相互相関部８０３ａにおけるプリアンブルの相関処理の結果に基づいて、プリアンブルを判定する。例えば、判定部８０３ｂは、相互相関の相関結果にピークが存在しない場合、端末７００から受信したプリアンブルが通常のプリアンブルであると判定する。また、判定部８０３ｂは、図１３Ａに示したように相関結果のＰｒｅａｍｂｌｅ（＃２）’の位置に相当する位置にピークが発生した場合、端末７００から受信したプリアンブルが再送要求用プリアンブルであると判定する。また、判定部８０３ｂは、図１３Ｂに示したように相関結果のＰｒｅａｍｂｌｅ（＃５）’の位置に相当する位置にピークが発生した場合、端末７００から受信したプリアンブルが周波数変更要求用プリアンブルであると判定する。
【０２４５】
次に、本実施の形態４におけるＵＬ信号とＤＬ信号について図２３Ａ〜図２３Ｃを用いて説明する。図２３Ａは、本実施の形態４におけるＵＬ信号とＤＬ信号の第１の例を示す図である。図２３Ｂは、本実施の形態４におけるＵＬ信号とＤＬ信号の第２の例を示す図である。図２３Ｃは、本実施の形態４におけるＵＬ信号とＤＬ信号の第３の例を示す図である。
【０２４６】
図２３Ａは、端末７００が通常のプリアンブルを送信する場合のＵＬ信号とＤＬ信号を示す。端末７００は、基地局８００が周波数帯Ｆ１を用いて送信したＤＬ信号＃ｎを受信し、ＤＬ信号＃ｎに誤りが無い場合、周波数帯Ｆ１を用いて、通常のプリアンブル（Ｐｒｅａｍｂｌｅ＿Ａ）を含むＵＬ信号を基地局８００に送信する。基地局８００は、通常のプリアンブル（Ｐｒｅａｍｂｌｅ＿Ａ）を検出して、周波数帯Ｆ１を用いて次のＤＬ信号＃ｎ＋１を送信する。
【０２４７】
図２３Ｂは、端末７００が再送要求用プリアンブルを送信する場合のＵＬ信号とＤＬ信号を示す。端末７００は、基地局８００が周波数帯Ｆ１を用いて送信したＤＬ信号＃ｎを受信し、ＤＬ信号＃ｎに誤りがあり、再送を要求する場合、かつ、干渉量が所定値未満であり、周波数変更を要求しない場合、周波数帯Ｆ１を用いて再送要求用プリアンブル（Ｐｒｅａｍｂｌｅ＿Ｂ）を含むＵＬ信号を基地局８００に送信する。基地局８００は、再送要求用プリアンブル（Ｐｒｅａｍｂｌｅ＿Ｂ）を検出して、周波数帯Ｆ１を用いてＤＬ信号＃ｎを再送する。
【０２４８】
図２３Ｃは、端末７００が周波数変更要求用プリアンブルを送信する場合のＵＬ信号とＤＬ信号を示す。端末７００は、基地局８００が周波数帯Ｆ１を用いて送信したＤＬ信号＃ｎを受信し、ＤＬ信号＃ｎに誤りがあり、再送を要求する場合、かつ、干渉量が所定値以上であり、周波数帯の変更を要求する場合、周波数帯Ｆ１を用いて周波数変更要求用プリアンブル（Ｐｒｅａｍｂｌｅ＿Ｃ）を含むＵＬ信号を基地局８００に送信する。基地局８００は、周波数変更要求用プリアンブル（Ｐｒｅａｍｂｌｅ＿Ｃ）を検出して、周波数帯Ｆ１を周波数帯Ｆ２に変更し、周波数帯Ｆ２を用いてＤＬ信号＃ｎを再送する。
【０２４９】
＜端末の処理＞
次に、本実施の形態４に係る端末７００の処理の流れについて、図２４を参照して説明する。図２４は、本実施の形態４に係る端末７００の処理を示すフローチャートである。
【０２５０】
端末７００の無線受信部７０１およびベースバンド受信処理部１０２は、ＤＬ信号の受信処理を行う（Ｓ３０１）。
【０２５１】
次に、プリアンブル設定部７０５は、ベースバンド受信処理が行われたデータの誤りの有無に基づき、ＤＬ信号を正しく受信できたか否かを判定する（Ｓ３０２）。
【０２５２】
ＤＬ信号を正しく受信できた場合（Ｓ３０２にてＹＥＳ）、プリアンブル設定部７０５は、通常のプリアンブルを設定する（Ｓ３０３）。そして、フローは、Ｓ３０７の処理へ移行する。
【０２５３】
ＤＬ信号を正しく受信できなかった場合（Ｓ３０２にてＮＯ）、プリアンブル設定部７０５は、干渉量は所定値以上か否かを判定する（Ｓ３０４）。
【０２５４】
干渉量が所定値以上の場合（Ｓ３０４にてＹＥＳ）、プリアンブル設定部７０５は、周波数変更要求用プリアンブルを設定する（Ｓ３０５）。そして、フローは、Ｓ３０７の処理へ移行する。
【０２５５】
干渉量が所定値未満の場合（Ｓ３０４にてＮＯ）、プリアンブル設定部７０５は、再送要求用プリアンブルを設定する（Ｓ３０６）。そして、フローは、Ｓ３０７の処理へ移行する。
【０２５６】
次に、付加部１０６および無線送信部７０７は、プリアンブルを含むＵＬ信号の送信処理を行う（Ｓ３０７）。そして、端末７００の処理は終了する。
【０２５７】
＜基地局の処理＞
次に、本実施の形態４に係る基地局８００の処理の流れについて、図２５を参照して説明する。図２５は、本実施の形態４に係る基地局８００の処理を示すフローチャートである。
【０２５８】
基地局８００の無線受信部８０１は、ＵＬ信号の受信処理を行う（Ｓ４０１）。
【０２５９】
次に、プリアンブル検出部８０３は、ＵＬ信号に含まれるプリアンブルの判定処理を行う（Ｓ４０２）。
【０２６０】
次に、プリアンブル検出部８０３は、プリアンブルが通常のプリアンブルか否かを判定する（Ｓ４０３）。
【０２６１】
プリアンブルが通常のプリアンブルである場合（Ｓ４０３にてＹＥＳ）、プリアンブル検出部８０３は、送信データ制御部８０４に対して指示を出力し、送信データ制御部８０４は、次に送信する送信データを出力する（Ｓ４０４）。そして、フローは、Ｓ４０８の処理へ移行する。
【０２６２】
プリアンブルが通常のプリアンブルでは無い場合（Ｓ４０３にてＮＯ）、プリアンブル検出部８０３は、プリアンブルが周波数変更要求用プリアンブルであるか否かを判定する（Ｓ４０５）。
【０２６３】
プリアンブルが周波数変更要求用プリアンブルである場合（Ｓ４０５にてＹＥＳ）、プリアンブル検出部８０３は、通信に用いる周波数帯を変更する指示をシンセサイザ８０９へ出力する。シンセサイザ８０９は、指示を取得し、周波数帯を変更する（Ｓ４０６）。そして、プリアンブル検出部８０３は、送信データ制御部８０４に対して前回送信した送信データを再送する指示を出力する。送信データ制御部８０４は、前回送信した送信データを再び出力する（Ｓ４０７）。そして、フローは、Ｓ４０８の処理へ移行する。
【０２６４】
プリアンブルが周波数変更要求用プリアンブルでは無い場合（Ｓ４０５にてＮＯ）、つまり、プリアンブルが再送要求用プリアンブルである場合、プリアンブル検出部８０３は、送信データ制御部８０４に対して前回送信した送信データを再送する指示を出力する。送信データ制御部８０４は、前回送信した送信データを再び出力する（Ｓ４０７）。そして、フローは、Ｓ４０８の処理へ移行する。
【０２６５】
次に、ベースバンド送信処理部２０５、プリアンブル付加部２０６、および、無線送信部８０７は、送信データ制御部８０４から取得した送信データを含むＤＬ信号の送信処理を行う（Ｓ４０８）。そして、基地局８００の処理は終了する。
【０２６６】
＜効果＞
以上説明した本実施の形態４では、端末７００が、ＤＬ信号を正しく受信できたか否か、および、周波数帯の変更を要求するか否かに基づいて、プリアンブルを設定する。これにより、プリアンブルの中に、ＤＬ信号の再送要求と周波数帯の変更要求とを含むフィードバック情報が含まれるため、端末７００は、フィードバック情報を基地局８００に送信するための信号をＵＬ信号の送信期間内に送信する必要が無い。そのため、ＵＬデータの伝送速度を低下させることを抑制しつつ、基地局８００にフィードバック情報を送信することができる。
【０２６７】
また、本実施の形態４では、干渉量に応じて、端末７００と基地局８００の間の通信に用いる周波数帯を変更することができるため、通信品質が向上する。
【０２６８】
なお、本実施の形態４では、端末７００が、複数の信号成分からなるプリアンブルの一部の信号成分の極性を反転することによってプリアンブルを変更する方法に基づいて、通常のプリアンブル、再送要求用プリアンブル、および、周波数変更要求用プリアンブルを設定する例について説明したが、本開示はこれに限定されない。例えば、実施の形態１で説明したように、プリアンブルデータを配置するサブキャリアの組み合わせを変えることによってプリアンブルを変更する方法に基づいて、通常のプリアンブル、再送要求用プリアンブル、および、周波数変更要求用プリアンブルを設定しても良い。
【０２６９】
また、端末７００によって設定されるプリアンブルが、通常のプリアンブル、再送要求用プリアンブル、および、周波数変更要求用プリアンブルの３通りである例について説明したが、本開示はこれに限定されない。端末７００は、基地局８００へフィードバックする情報に応じて、４通り以上のプリアンブルを設定しても良い。
【０２７０】
また、本実施の形態４では、端末７００が、ＤＬ信号を正しく受信できなかった場合、かつ、周波数帯の変更が必要であると判定した場合に、周波数変更要求用プリアンブルを設定するとした。例えば、端末７００は、ＤＬ信号を正しく受信できた場合であっても、周波数帯の変更が必要であると判定した場合には、基地局８００に周波数帯の変更を要求しても良い。この場合、端末７００は、上述した３通りとは異なるプリアンブルとして、再送無しで周波数帯の変更を要求するプリアンブルを設定しても良い。基地局８００は、再送無しで周波数帯の変更を要求するプリアンブルを受信した場合、周波数帯を変更する指示をシンセサイザ８０９へ出力し、次に送信する送信データを出力する指示を送信データ制御部８０４へ出力しても良い。
【０２７１】
また、本実施の形態４では、端末７００と基地局８００との間で予め決められた順に基づいて、基地局８００が周波数帯を変更する例について説明したが、本開示はこれに限定されない。基地局８００と端末７００の一方が、次に使用する周波数帯を決定し、次に使用する周波数帯の情報を他方に通知しても良い。
【０２７２】
例えば、端末７００の干渉検出部７０８が、現在通信に使用している周波数帯の干渉量を含む使用可能な複数の周波数帯の干渉量を測定し、干渉量が最も低い周波数帯を、次に使用する周波数帯として判定しても良い。この場合、使用可能な複数の周波数帯に対応付けられた複数の周波数変更要求用プリアンブルが規定され、端末７００は、次に使用する周波数帯に対応付けられた周波数変更要求用プリアンブルを設定しても良い。基地局８００は、規定された複数の周波数変更要求用プリアンブルのうち、どのプリアンブルを受信したかに基づいて、次に使用する周波数帯を判定しても良い。
【０２７３】
また、基地局８００が、現在通信に使用している周波数帯の干渉量を含む使用可能な複数の周波数帯の干渉量を測定する干渉測定部を有していても良い。この場合、基地局８００の干渉測定部は、干渉量が最も低い周波数帯を、次に使用する周波数帯として判定し、判定結果を端末７００へ通知しても良い。
【０２７４】
（実施の形態５）
本実施の形態５では、実施の形態３と同様に、基地局と端末とを含む、複数の周波数帯を用いる無線通信システムにおいて、ＤＬ信号を送信する周波数帯の変更を端末が基地局に対して指示する例について説明する。なお、以下の説明では、無線通信システムが第１の周波数帯（ｆ１）と第２の周波数帯（ｆ２）との２つの周波数帯を同時に用いて通信を行う例を一例として説明する。そして、第１の周波数帯を用いて送受信されるＵＬ信号、ＤＬ信号をそれぞれ第１のＵＬ信号、第１のＤＬ信号とし、第２の周波数帯を用いて送受信されるＵＬ信号、ＤＬ信号をそれぞれ第２のＵＬ信号、第２のＤＬ信号として説明する。また、本実施の形態５では、第１のＤＬ信号と第２のＤＬ信号とを合せて、１つのＤＬ信号として説明する。
【０２７５】
＜端末の構成＞
図２６は、本実施の形態５に係る端末９００の構成例を示すブロック図である。なお、図２６において、図１４と同様の構成については同一の符番を付し、その説明を省略する。
【０２７６】
無線受信部９０１は、アンテナに受信された第１のＤＬ信号に対して、増幅、フィルタリング等の無線受信処理を行う。そして、無線受信部９０１は、無線受信処理後の信号に対して、後述するシンセサイザ９０９から出力される第１のキャリア周波数のローカル信号に基づいて、ダウンコンバートを行い、第１のベースバンド信号を得る。同様に、無線受信部９０１は、アンテナに受信された第２のＤＬ信号に対して、増幅、フィルタリング等の無線受信処理を行う。そして、無線受信部９０１は、無線受信処理後の信号に対して、シンセサイザ９０９から出力される第２のキャリア周波数のローカル信号に基づいて、ダウンコンバートを行い、第２のベースバンド信号を得る。そして、無線受信部９０１は、第１および第２のベースバンド信号をベースバンド受信処理部５０２および干渉検出９０８に出力する。
【０２７７】
干渉検出部９０８は、無線受信部９０１から取得した第１および第２のベースバンド信号のガードタイム区間を検出し、ガードタイムの受信レベル（干渉量）を測定し、測定値をプリアンブル設定部９０５へ出力する。干渉検出部９０８が出力する干渉量は、第１の周波数帯と第２の周波数帯の両方において測定した２つの干渉量である。
【０２７８】
プリアンブル設定部９０５は、配置部９０５ａと、逆フーリエ変換部９０５ｂと、極性変更部９０５ｃとを有し、誤り検出部５０３から取得する誤り検出結果および干渉検出部９０８から取得する干渉量の測定値に基づいてプリアンブルを設定する。
【０２７９】
なお、本実施の形態５では、まず、プリアンブル設定部９０５が極性変更部９０５ｃを含まない例を説明する。そのため、図２６の極性変更部９０５ｃは、点線を用いて示されている。プリアンブル設定部９０５が極性変更部９０５ｃを含む例については、後述の本実施の形態５の変形例として説明する。
【０２８０】
配置部９０５ａは、ＤＬ信号に誤りが無いことを示す誤り検出結果を取得した場合、つまり、ＤＬ信号を正しく受信できた場合、第１のＵＬ信号用のプリアンブル（第１のプリアンブル）を生成するためのプリアンブルのデータを配置し、第２のＵＬ信号用のプリアンブル（第２のプリアンブル）を生成するためのプリアンブルのデータを配置しない。
【０２８１】
また、配置部９０５ａは、ＤＬ信号に誤りが有ることを示す誤り検出結果を取得した場合、つまり、ＤＬ信号を正しく受信できなかった場合、かつ、２つの干渉量の測定値が所定値未満の場合、つまり、周波数帯の変更が必要では無い場合、第２のプリアンブルを生成するためのプリアンブルのデータを配置し、第１のプリアンブルを生成するためのプリアンブルのデータを配置しない。なお、プリアンブルのデータは、予め既知のシンボルデータ等である。
【０２８２】
また、配置部９０５ａは、ＤＬ信号に誤りが有ることを示す誤り検出結果を取得した場合、つまり、ＤＬ信号を正しく受信できなかった場合、かつ、２つの干渉量の測定値の少なくとも１つが所定値以上の場合、つまり、周波数帯の変更が必要である場合、第１のプリアンブルを生成するためのプリアンブルのデータと、第２のプリアンブルを生成するためのプリアンブルのデータを配置する。
【０２８３】
逆フーリエ変換部９０５ｂは、配置部９０５ａにより配置されたプリアンブルに対して、ＩＦＦＴ（Inverse Fast Fourier Transform）処理を行い、ベースバンドのプリアンブルを得る。
【０２８４】
前述の通り、本実施の形態５では、まず、プリアンブル設定部９０５が極性変更部９０５ｃを含まない例を説明する。そのため、逆フーリエ変換部９０５ｂは、ベースバンドのプリアンブルを付加部５０６へ出力する。
【０２８５】
一方で、本実施の形態５の変形例では、逆フーリエ変換部９０５ｂは、ベースバンドのプリアンブルを極性変更部９０５ｃへ出力する。本実施の形態５の変形例の詳細については後述する。
【０２８６】
極性変更部９０５ｃは、誤り検出結果および２つの干渉量の測定値に基づいて、プリアンブルの一部の信号成分を変更する。例えば、極性変更部９０５ｃは、プリアンブルの一部の信号成分をヌル信号に変更する。また、極性変更部９０５ｃは、プリアンブルの一部の信号成分の極性を反転する。なお、本実施の形態５では、プリアンブル設定部９０５が極性変更部９０５ｃを含まない例を説明し、極性変更部９０５ｃが極性を変更する例については、本実施の形態５の変形例として説明する。
【０２８７】
以下、本実施の形態５において、ＤＬ信号を正しく受信できた場合に付加部５０６へ出力されるプリアンブルを、通常のプリアンブルと呼ぶ。また、ＤＬ信号を正しく受信できなかった場合、かつ、周波数帯の変更が必要では無い場合に付加部５０６へ出力されるプリアンブルを、再送要求用プリアンブルと呼ぶ。また、ＤＬ信号を正しく受信できなかった場合、かつ、周波数帯の変更が必要である場合に付加部５０６へ出力されるプリアンブルを、周波数変更要求用プリアンブルと呼ぶ。
【０２８８】
つまり、本実施の形態５における、通常のプリアンブルは、第１のプリアンブルが送信され、第２のプリアンブルが送信されないことを指し、再送要求用プリアンブルは、第１のプリアンブルが送信されず、第２のプリアンブルが送信されることを指し、周波数変更要求用プリアンブルは、第１のプリアンブルと第２のプリアンブルの両方が送信されることを指す。
【０２８９】
なお、プリアンブル設定部９０５は、周波数変更要求用プリアンブルを付加部５０６へ出力する場合、周波数帯の変更指示を、後述するシンセサイザ９０９へ出力する。
【０２９０】
無線送信部９０７は、付加部５０６から取得した２つのベースバンドの送信信号に対して、増幅、フィルタリング等の無線送信処理を行う。そして、無線送信部９０７は、無線送信処理後の信号に対して、シンセサイザ９０９から出力されるローカル信号に基づいたアップコンバートを行い、第１のＵＬ信号および第２のＵＬ信号を得る。そして、無線送信部９０７は、アンテナから２つのＵＬ信号を送信する。
【０２９１】
シンセサイザ９０９は、キャリア周波数のローカル信号を発生させて無線受信部９０１および無線送信部９０７に出力する。シンセサイザ９０９は、周波数帯の変更指示をプリアンブル設定部９０５から取得した場合、次のＤＬ信号を受信するタイミングから、発生させるローカル信号のキャリア周波数を変更する。例えば、シンセサイザ９０９は、端末９００と基地局１０００との間で予め決められた順に基づいて、周波数帯を変更する。例えば、現在通信に使用している２つの周波数帯（ｆ１、ｆ２）の組と、通信に使用していない２組の周波数帯（ｆ３、ｆ４）、（ｆ５、ｆ６）とが使用可能な周波数帯であり、（ｆ１、ｆ２）、（ｆ３、ｆ４）、（ｆ５、ｆ６）の順で巡回して周波数帯を変更することが、端末９００と基地局１０００との間で予め決められている場合、シンセサイザ９０９は、次のＤＬ信号を受信するタイミングから、発生させるローカル信号の周波数帯の組を（ｆ１、ｆ２）から（ｆ３、ｆ４）へ変更する。
【０２９２】
次に、本実施の形態５に係る基地局１０００の構成例について図２７を用いて説明する。図２７は、本実施の形態５に係る基地局１０００の構成例を示すブロック図である。なお、図２７において、図１５と同様の構成については同一の符番を付し、その説明を省略する。
【０２９３】
無線受信部１００１は、アンテナに受信された第１のＵＬ信号に対して、増幅、フィルタリング等の無線受信処理を行う。そして、無線受信部１００１は、無線受信処理後の信号に対して、後述するシンセサイザ１００９から出力されるローカル信号に基づいて、ダウンコンバートを行い、第１のベースバンド信号を得る。同様に、無線受信部１００１は、アンテナに受信された第２のＵＬ信号に対して、増幅、フィルタリング等の無線受信処理を行う。そして、無線受信部１００１は、無線受信処理後の信号に対して、シンセサイザ１００９から出力されるローカル信号に基づいて、第２の周波数帯に応じたダウンコンバートを行い、第２のベースバンド信号を得る。そして、無線受信部１００１は、第１および第２のベースバンド信号をベースバンド受信処理部６０２およびプリアンブル検出部１００３に出力する。
【０２９４】
プリアンブル検出部１００３は、無線受信部１００１から取得した第１および第２のベースバンド信号に含まれるプリアンブルを抽出する。そして、プリアンブル検出部１００３は、抽出したプリアンブルに基づき、端末０００からのフィードバック情報を判定する。端末１０００からのフィードバック情報は、端末９００が基地局１０００から送信されたＤＬ信号を正しく受信できたか否か、および、端末９００が周波数帯の変更を要求するか否かを示す情報を含む。
【０２９５】
前述の通り、端末９００は、基地局１０００から送信されたＤＬ信号を正しく受信できたか否か、および、周波数帯の変更を要求するか否かに応じて、プリアンブルを変更し、通常のプリアンブル、再送要求用プリアンブル、周波数変更要求用プリアンブルのいずれか１つを送信する。
【０２９６】
プリアンブル検出部１００３は、端末９００からのフィードバック情報を送信データ制御部１００４およびシンセサイザ１００９へ出力する。
【０２９７】
具体的に、プリアンブル検出部１００３は、電力算出部１００３ａと、判定部１００３ｂとを備える。
【０２９８】
電力算出部１００３ａは、図３に示したようなフレーム構成に基づき、第１および第２のベースバンド信号のプリアンブルの位置の信号を抽出する。そして、電力算出部１００３ａは、抽出したプリアンブルの電力を算出する。電力算出部１００３ａは、第１のベースバンド信号のプリアンブルの電力および第２のベースバンド信号のプリアンブルの電力を判定部１００３ｂへ出力する。
【０２９９】
判定部１００３ｂは、第１のベースバンド信号のプリアンブルの電力および第２のベースバンド信号のプリアンブルの電力に基づき、プリアンブルが示すフィードバック情報を判定する。具体的には、前述の通り、端末９００のプリアンブル設定部９０５は、ＤＬ信号を正しく受信できたか否か、および、周波数帯の変更を要求するか否かに基づいて、プリアンブルを付加する周波数帯を変更する。そのため、判定部１００３ｂは、第１のベースバンド信号のプリアンブルの電力および第２のベースバンド信号のプリアンブルの電力と所定の閾値とを比較することによって、プリアンブルが付加された周波数帯を判定する。
【０３００】
具体的には、判定部１００３ｂは、第１のベースバンド信号のプリアンブルの電力が閾値以上、第２のベースバンド信号のプリアンブルの電力が閾値未満の場合、通常のプリアンブルを受信したと判定する。その場合、判定部１００３ｂは、次に送信する送信データを出力する指示を送信データ制御部１００４へ出力する。判定部１００３ｂは、第１のベースバンド信号のプリアンブルの電力が閾値未満、第２のベースバンド信号のプリアンブルの電力が閾値以上の場合、再送要求用プリアンブルを受信したと判定する。その場合、判定部１００３ｂは、過去の送信データを出力する指示を送信データ制御部１００４へ出力する。判定部１００３ｂは、第１のベースバンド信号のプリアンブルの電力が閾値以上、第２のベースバンド信号のプリアンブルの電力が閾値以上の場合、周波数変更要求用プリアンブルを受信したと判定する。その場合、判定部１００３ｂは、過去の送信データを再送する指示を送信データ制御部１００４へ出力し、周波数帯を変更する指示をシンセサイザ１００９へ出力する。
【０３０１】
送信データ制御部１００４は、プリアンブル検出部１００３から取得する指示に基づいて、送信するデータを設定する。具体的には、送信データ制御部１００４は、過去に送信した送信データを保持するバッファを有する。そして、送信データ制御部１００４は、次に送信する送信データを出力する指示を取得した場合、現時点で取得する送信データをベースバンド送信処理部６０５へ出力する。送信データ制御部１００４は、過去の送信データを再送する指示を取得した場合、バッファに保持する過去の送信データをベースバンド送信処理部６０５へ出力する。なお、基地局１０００から送信される送信データは、例えば、端末９００へ送信する制御情報（ＤＬ制御情報）である。
【０３０２】
無線送信部１００７は、プリアンブルを含むベースバンド信号に対して、増幅、フィルタリング等の無線送信処理を行う。そして、無線送信部１００７は、無線送信処理後の信号に対して、シンセサイザ１００９から出力されるローカル信号を用いてアップコンバートを行い、第１のＤＬ信号および第２のＤＬ信号を得る。そして、無線送信部１００７は、アンテナから第１のＤＬ信号および第２のＤＬ信号を送信する。
【０３０３】
シンセサイザ１００９は、２つのキャリア周波数のローカル信号を発生させて無線受信部１００１および無線送信部１００７に出力する。シンセサイザ１００９は、プリアンブル検出部１００３から取得する指示に基づいて、発生させるローカル信号のキャリア周波数を変更する。具体的には、シンセサイザ１００９は、プリアンブル検出部１００３から周波数帯を変更する指示を取得した場合、次のＤＬ信号を送信するタイミングから、発生させるローカル信号のキャリア周波数を変更する。例えば、シンセサイザ１００９は、上述したシンセサイザ９０９と同様に、端末９００と基地局１０００との間で予め決められた順に基づいて、２つの周波数帯を変更する。
【０３０４】
＜プリアンブルの例＞
本実施の形態５におけるプリアンブルの配置例とＤＬ信号の配置例について、図２８Ａ〜図２８Ｃを参照して説明する。図２８Ａは、本実施の形態５におけるプリアンブル配置の第１の例を示す図である。図２８Ｂは、本実施の形態５におけるプリアンブル配置の第２の例を示す図である。図２８Ｃは、本実施の形態５におけるプリアンブル配置の第３の例を示す図である。
【０３０５】
図２８Ａ〜図２８Ｃには、第１の周波数帯（ｆ１）と第２の周波数帯（ｆ２）とのそれぞれにおけるＵＬ信号とＤＬ信号とが示されている。また、図２８Ｃには、第３の周波数帯（ｆ３）と第４の周波数帯（ｆ４）のＤＬ信号が示されている。
【０３０６】
図２８Ａに示す例は、通常のプリアンブルの配置例である。図２８Ａに示すように、第１の周波数帯のＵＬ信号にはプリアンブルが付加され、第２の周波数帯のＵＬ信号にはプリアンブルが付加されていない。
【０３０７】
図２８Ｂに示す例は、再送要求用プリアンブルの配置例である。図２８Ｂに示すように、第２の周波数帯のＵＬ信号にはプリアンブルが付加され、第１の周波数帯のＵＬ信号にはプリアンブルが付加されていない。なお、この場合、再送要求用プリアンブルの直後のＤＬ信号は、基地局１０００が再送した信号である。
【０３０８】
図２８Ｃに示す例は、周波数変更要求用プリアンブルの配置例である。図２８Ｃに示すように、第１の周波数帯のＵＬ信号と第２の周波数帯のＵＬ信号にプリアンブルが付加されている。そして、端末９００が周波数変更要求用プリアンブルを含むＵＬ信号を送信した後、基地局１０００は、ＤＬ信号の送信に用いる周波数帯を第１の周波数帯と第２の周波数帯の組（ｆ１、ｆ２）から第３の周波数帯と第４の周波数帯の組（ｆ３、ｆ４）へ変更している。
【０３０９】
＜効果＞
以上説明したように本実施の形態５では、端末９００が、ＤＬ信号を正しく受信できたか否か、および、周波数帯の変更を要求するか否かに基づいて、プリアンブルを設定する。これにより、プリアンブルの中に、ＤＬ信号の再送要求と周波数帯の変更要求とを含むフィードバック情報が含まれるため、端末９００は、フィードバック情報を基地局１０００に送信するための信号をＵＬ信号の送信期間内に送信する必要が無い。そのため、ＵＬデータの伝送速度を低下させることを抑制しつつ、基地局１０００にフィードバック情報を送信することができる。
【０３１０】
また、本実施の形態５では、基地局１０００において、プリアンブル部分の受信電力に基づいて、各周波数帯のＵＬ信号にプリアンブルが付加されているか否かを判定する。これにより、基地局１０００は、端末９００からのフィードバック情報を容易に判定することができる。
【０３１１】
また、本実施の形態５では、干渉量に応じて、端末９００と基地局１０００の間の通信に用いる周波数帯を変更することができるため、通信品質が向上する。
【０３１２】
＜実施の形態５の変形例＞
本実施の形態５の変形例では、プリアンブル設定部９０５は、ＤＬ信号を正しく受信できたか否か、および、周波数帯の変更を要求するか否かに基づいて、プリアンブルを変更する例について説明する。
【０３１３】
図２９Ａは、本実施の形態５におけるプリアンブル配置の第１の変形例を示す図である。図２９Ｂは、本実施の形態５におけるプリアンブル配置の第２の変形例を示す図である。図２９Ｃは、本実施の形態５におけるプリアンブル配置の第３の変形例を示す図である。図２９Ａ〜図２９Ｃには、第１の周波数帯（ｆ１）と第２の周波数帯（ｆ２）とのそれぞれにおけるＵＬ信号とＤＬ信号とが示されている。また、図２９Ａ〜図２９Ｃに示されるＰｒｅａｍｂｌｅ＿１とＰｒｅａｍｂｌｅ＿２とは、互いに異なるプリアンブルである。また、図２９Ｃには、第３の周波数帯（ｆ３）と第４の周波数帯（ｆ４）のＤＬ信号が示されている。
【０３１４】
端末９００の極性変更部９０５ｃは、互いに異なるプリアンブルを生成するために、プリアンブルの信号成分の一部の極性を反転する。または、極性変更部９０５ｃは、プリアンブルの信号成分の一部をヌル信号に置換する。なお、端末９００の例えば、極性変更部９０５ｃがＰｒｅａｍｂｌｅ＿１とＰｒｅａｍｂｌｅ＿２を互いに異なるプリアンブルとして生成する方法、および、基地局１０００が互いに異なるプリアンブルを検出する方法については、例えば、実施の形態１〜実施の形態３において説明した方法を用いれば良いので、詳細な説明は省略する。
【０３１５】
図２９Ａに示す例は、通常のプリアンブルの配置例である。図２９Ａに示すように、第１の周波数帯のＵＬ信号と第２の周波数帯のＵＬ信号とには、互いに同一のＰｒｅａｍｂｌｅ＿１が付加される。
【０３１６】
図２９Ｂに示す例は、再送要求用プリアンブルの配置例である。図２９Ｂに示すように、第１の周波数帯のＵＬ信号にＰｒｅａｍｂｌｅ＿２が付加され、第２の周波数帯のＵＬ信号にＰｒｅａｍｂｌｅ＿１が付加されている。
【０３１７】
図２９Ｃに示す例は、周波数変更要求用プリアンブルの配置例である。図２９Ｃに示すように、第１の周波数帯のＵＬ信号と第２の周波数帯のＵＬ信号とには、互いに同一のＰｒｅａｍｂｌｅ＿２が付加される。そして、端末９００が周波数変更要求用プリアンブルを含むＵＬ信号を送信した後、基地局１０００は、ＤＬ信号の送信に用いる周波数帯を第１の周波数帯と第２の周波数帯の組（ｆ１、ｆ２）から第３の周波数帯と第４の周波数帯の組（ｆ３、ｆ４）へ変更している。
【０３１８】
これにより、いずれのプリアンブルであっても、第１の周波数帯と第２の周波数帯との両方にプリアンブルが付加されるため、基地局１０００におけるプリアンブルの受信電力が改善され、端末９００からのフィードバック情報の判定精度が向上する。
【０３１９】
なお、上述したプリアンブルはあくまで一例であり、本開示はこれに限定されない。基地局と端末とを含む、複数の周波数帯を用いる無線通信システムにおいて、プリアンブルを送受信する周波数帯、送受信するプリアンブルの種類などに応じて、基地局と端末の間で、複数のフィードバック情報の送受信を行うことができる。
【０３２０】
なお、本実施の形態５では、２つの周波数帯の干渉量の少なくとも１つが所定値以上の場合に、周波数帯の変更が必要であると判定する例について説明したが、本開示はこれに限定されない。現在使用している周波数帯のうち、干渉量が所定値以上の周波数帯を他の使用可能な周波数帯に変更し、干渉量が所定値未満の周波数帯を変更しない、としても良い。この場合、端末７００は、変更が必要な周波数帯、つまり、干渉量が所定値以上の周波数帯を基地局８００へ通知する。通知の方法は、例えば、プリアンブルの種類の変更、および／または、プリアンブルを送信する周波数帯の変更を組み合わせても良い。
【０３２１】
また、本実施の形態５では、端末９００が、ＤＬ信号を正しく受信できなかった場合、かつ、周波数帯の変更が必要であると判定した場合に、周波数変更要求用プリアンブルを設定するとした。例えば、端末９００は、ＤＬ信号を正しく受信できた場合であっても、周波数帯の変更が必要であると判定した場合には、基地局１０００に周波数変更を要求しても良い。この場合、端末９００は、上述した３通りとは異なるプリアンブルとして、再送無しで周波数帯の変更を要求するプリアンブルを設定しても良い。基地局１０００は、再送無しで周波数帯の変更を要求するプリアンブルを受信した場合、周波数を変更する指示をシンセサイザ１００９へ出力し、次に送信する送信データを出力する指示を送信データ制御部１００４へ出力しても良い。
【０３２２】
また、本実施の形態５では、端末９００と基地局１０００との間で予め決められた順に基づいて、基地局１０００が周波数帯を変更する例について説明したが、本開示はこれに限定されない。基地局１０００と端末９００の一方が、次に使用する周波数帯を決定し、次に使用する周波数帯の情報を他方に通知しても良い。
【０３２３】
例えば、端末９００の干渉検出部９０８が、現在通信に使用している周波数帯の干渉量を含む使用可能な複数の周波数帯の干渉量を測定し、干渉量が最も低い周波数帯を、次に使用する周波数帯として判定しても良い。この場合、使用可能な複数の周波数帯に対応付けられた複数の周波数変更要求用プリアンブルが規定され、端末９００は、次に使用する周波数帯に対応付けられた周波数変更要求用プリアンブルを設定しても良い。基地局１０００は、規定された複数の周波数変更要求用プリアンブルのうち、どのプリアンブルを受信したかに基づいて、次に使用する周波数帯を判定しても良い。なお、次に使用する周波数帯は、干渉量が最も低い周波数帯に限らず、所定の条件（例えば、閾値以下の干渉量となる周波数帯）を満たす周波数帯であっても良い。
【０３２４】
また、基地局１０００が、現在通信に使用している周波数帯の干渉量を含む使用可能な複数の周波数帯の干渉量を測定する干渉測定部を有していても良い。この場合、基地局１０００の干渉測定部は、干渉量が最も低い周波数帯を、次に使用する周波数帯として判定し、判定結果を端末９００へ通知しても良い。なお、次に使用する周波数帯は、干渉量が最も低い周波数帯に限らず、所定の条件（例えば、閾値以下の干渉量となる周波数帯）を満たす周波数帯であっても良い。
【０３２５】
また、本開示は、部材の種類、配置、個数等は前述の実施の形態に限定されるものではなく、その構成要素を同等の作用効果を奏するものに適宜置換する等、発明の要旨を逸脱しない範囲で適宜変更することができる。
【産業上の利用可能性】
【０３２６】
本開示は、ＦＰＵ等の端末、基地局に用いるに好適である。
【符号の説明】
【０３２７】
１００、３００、５００、７００、９００  端末
１０１、２０１、５０１、６０１、７０１、８０１、９０１、１００１  無線受信部
１０２、２０２、５０２、６０２  ベースバンド受信処理部
１０３、５０３  誤り検出部
１０４、２０５、５０４、６０５  ベースバンド送信処理部
１０５、３０５、５０５、７０５、９０５  プリアンブル設定部
１０６、５０６  付加部
１０７、２０７、５０７、６０７、７０７、８０７、９０７、１００７  無線送信部
２００、４００、６００、８００、１０００  基地局
２０３、４０３、６０３、８０３、１００３  プリアンブル検出部
２０４、６０４、８０４、１００４  送信データ制御部
２０６、６０６  プリアンブル付加部
７０８、９０８  干渉検出部
７０９、８０９、９０９、１００９  シンセサイザ
【図１】
2018026786.tif 000003
【図２】
2018026786.tif 000004
【図３】
2018026786.tif 000005
【図４Ａ】
2018026786.tif 000006
【図４Ｂ】
2018026786.tif 000007
【図５Ａ】
2018026786.tif 000008
【図５Ｂ】
2018026786.tif 000009
【図６】
2018026786.tif 000010
【図７】
2018026786.tif 000011
【図８】
2018026786.tif 000012
【図９Ａ】
2018026786.tif 000013
【図９Ｂ】
2018026786.tif 000014
【図１０】
2018026786.tif 000015
【図１１】
2018026786.tif 000016
【図１２Ａ】
2018026786.tif 000017
【図１２Ｂ】
2018026786.tif 000018
【図１３Ａ】
2018026786.tif 000019
【図１３Ｂ】
2018026786.tif 000020
【図１４】
2018026786.tif 000021
【図１５】
2018026786.tif 000022
【図１６Ａ】
2018026786.tif 000023
【図１６Ｂ】
2018026786.tif 000024
【図１７】
2018026786.tif 000025
【図１８Ａ】
2018026786.tif 000026
【図１８Ｂ】
2018026786.tif 000027
【図１８Ｃ】
2018026786.tif 000028
【図１８Ｄ】
2018026786.tif 000029
【図１９】
2018026786.tif 000030
【図２０】
2018026786.tif 000031
【図２１】
2018026786.tif 000032
【図２２】
2018026786.tif 000033
【図２３Ａ】
2018026786.tif 000034
【図２３Ｂ】
2018026786.tif 000035
【図２３Ｃ】
2018026786.tif 000036
【図２４】
2018026786.tif 000037
【図２５】
2018026786.tif 000038
【図２６】
2018026786.tif 000039
【図２７】
2018026786.tif 000040
【図２８Ａ】
2018026786.tif 000041
【図２８Ｂ】
2018026786.tif 000042
【図２８Ｃ】
2018026786.tif 000043
【図２９Ａ】
2018026786.tif 000044
【図２９Ｂ】
2018026786.tif 000045
【図２９Ｃ】
2018026786.tif 000046
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備える端末装置。
【請求項２】
前記送信部は、所定のサブキャリア間隔を有する第１のサブキャリア群を用いたＯＦＤＭ変調が施された上りリンク信号を送信し、
前記設定部は、
前記下りリンク信号に誤りが無い場合、第１のサブキャリア群の一部のサブキャリアからなる第２のサブキャリア群に、プリアンブルを配置し、
前記下りリンク信号に誤りが有る場合、前記第１のサブキャリア群の一部のサブキャリアからなり、前記第２のサブキャリア群に含まれない少なくとも１つのサブキャリアを含む第３のサブキャリア群に、プリアンブルを配置する、
請求項１に記載の端末装置。
【請求項３】
前記第２のサブキャリア群は、前記所定のサブキャリア間隔のＮ倍（Ｎは４以上の整数）のサブキャリア間隔を有するサブキャリアからなり、
前記第３のサブキャリア群は、前記第２のサブキャリア群と、前記少なくとも１つのサブキャリアとからなり、
前記第３のサブキャリア群のサブキャリア間隔は、前記所定のサブキャリア間隔のＭ倍（Ｍは２以上Ｎ未満の整数）である、
請求項２に記載の端末装置。
【請求項４】
前記設定部は、前記少なくとも１つのサブキャリアの送信電力を前記第２のサブキャリア群のそれぞれのサブキャリアの送信電力よりも大きい送信電力に設定する、
請求項２に記載の端末装置。
【請求項５】
前記下りリンク信号が複数の制御信号を含む場合、
前記誤り検出部は、前記複数の制御信号それぞれに対して誤りの有無を検出し、
前記設定部は、誤りが検出された制御信号に応じて、前記少なくとも１つのサブキャリアを変更する、
請求項２に記載の端末装置。
【請求項６】
前記送信部は、所定のサブキャリア間隔を有する第１のサブキャリア群を用いたＯＦＤＭ変調が施された上りリンク信号を送信し、
前記設定部は、
前記下りリンク信号に誤りが無い場合、前記所定のサブキャリア間隔のＮ倍（Ｎは２以上の整数）のサブキャリア間隔を有するサブキャリアからなるサブキャリア群に、プリアンブルを配置することにより、互いに同一の信号がＮ個連続した周期信号をプリアンブルとして設定し、
前記下りリンク信号に誤りが有る場合、前記周期信号の一部の極性を反転した信号をプリアンブルとして設定する、
請求項１に記載の端末装置。
【請求項７】
前記下り信号が複数の制御信号を含む場合、
前記誤り検出部は、前記複数の制御信号それぞれに対して誤りの有無を検出し、
前記設定部は、誤りが検出された制御信号に応じて、前記周期信号の極性を反転する位置を変更する、
請求項６に記載の端末装置。
【請求項８】
前記送信部は、第１の周波数帯および第２の周波数帯を含む複数の周波数帯を用いて、前記上りリンク信号を送信し、
前記設定部は、
前記下りリンク信号に誤りが無い場合、前記第１の周波数帯を用いて送信する上りリンク信号にプリアンブルを設定し、
前記下りリンク信号に誤りが有る場合、前記第２の周波数帯を用いて送信する上りリンク信号にプリアンブルを設定する、
請求項１に記載の端末装置。
【請求項９】
前記送信部は、第１の周波数帯および第２の周波数帯を含む複数の周波数帯を用いて、前記上りリンク信号を送信し、
前記設定部は、
前記下りリンク信号に誤りが無い場合、前記第１の周波数帯を用いて送信する上りリンク信号、および、前記第２の周波数帯を用いて送信する２つの上りリンク信号に同一のプリアンブルを設定し、
前記下りリンク信号に誤りが有る場合、前記第１の周波数帯を用いて送信する上りリンク信号、および、前記第２の周波数帯を用いて送信する２つの上りリンク信号に互いに異なるプリアンブルを設定する、
請求項１に記載の端末装置。
【請求項１０】
前記下りリンク信号の周波数帯における干渉量を検出する干渉検出部を、備え、
前記設定部は、前記干渉量が所定値以上か否かで異なるプリアンブルを設定する、
請求項１に記載の端末装置。
【請求項１１】
前記プリアンブルは、前記下りリンク信号に誤りが有り、前記干渉量が所定値以上の場合と、前記下りリンク信号に誤りが有り、前記干渉量が所定値未満の場合と、前記下りリンク信号に誤りが無い場合とで、異なる、
請求項１０に記載の端末装置。
【請求項１２】
基地局装置と端末装置とを含む無線通信システムであって、
前記端末装置は、
前記基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備え、
前記基地局装置は、
前記上りリンク信号を受信する受信部と、
前記上りリンク信号に含まれる前記プリアンブルに基づき、前記端末装置が前記下りリンク信号を受信できたか否かを示すフィードバック情報を判定する判定部と、
前記フィードバック情報に応じて、前記端末装置へ送信するデータを設定し、前記設定したデータを含む下りリンク信号を送信する送信部と、
を備える、
無線通信システム。
【請求項１３】
基地局装置から送信される下りリンク信号の誤りの有無を検出し、
前記下りリンク信号に誤りが有る場合と無い場合とで、異なるプリアンブルを設定し、
前記設定したプリアンブルを含む上りリンク信号を送信する、
通信方法。
【手続補正２】
【補正対象書類名】明細書
【補正対象項目名】０００４
【補正方法】変更
【補正の内容】
【０００４】
【特許文献１】特許第３０７３６６６号公報
【手続補正３】
【補正対象書類名】明細書
【補正対象項目名】０１０８
【補正方法】変更
【補正の内容】
【０１０８】
相互相関部４０３ａは、無線受信部２０１から取得するベースバンド信号に含まれるプリアンブルを抽出し、プリアンブルに対して相互相関処理を行う。相互相関部４０３ａは、相互相関処理の結果を判定部４０３ｂへ出力する。相互相関部４０３ａにおける相互相関処理については、後述する。
【手続補正４】
【補正対象書類名】明細書
【補正対象項目名】０１２３
【補正方法】変更
【補正の内容】
【０１２３】
なお、本実施の形態２では、０を除く８の倍数のサブキャリア番号に対応するサブキャリア群（第４のサブキャリア群）にプリアンブルを配置することによって、互いに同一の８つの信号成分が時間軸方向に並ぶ周期信号とするプリアンブルの例について説明した。本開示においては、プリアンブルの周期は、これに限定されない。例えば、第４のサブキャリア群は、ＵＬ信号に用いられるＯＦＤＭ伝送のサブキャリア群（第１のサブキャリア群）のサブキャリア間隔のＮ倍（Ｎは２以上の整数）のサブキャリア間隔を有するサブキャリアから構成されていればよい。この場合、第４のサブキャリア群にプリアンブルを配置することにより生成されるプリアンブルは、互いに同一の信号がＮ個連続した周期信号となる。そして、この場合において、ＤＬ信号が正しく受信できなかった場合、Ｎ個連続した同一の信号のうちの一部の極性を反転させればよい。
【手続補正５】
【補正対象書類名】明細書
【補正対象項目名】０１６０
【補正方法】変更
【補正の内容】
【０１６０】
送信データ制御部６０４は、フィードバック情報に基づいて、送信するデータを選択する。具体的には、送信データ制御部６０４は、過去に送信した送信データを保持するバッファを有する。そして、送信データ制御部６０４は、端末５００が基地局６００から送信されたＤＬ信号を正しく受信できなかったことを示すフィードバック情報を取得した場合、バッファに保持する過去の送信データをベースバンド送信処理部６０５へ出力する。送信データ制御部６０４は、端末５００が基地局６００から送信されたＤＬ信号を正しく受信できたことを示すフィードバック情報を取得した場合、現時点で取得する送信データをベースバンド送信処理部６０５へ出力する。なお、基地局６００から送信される送信データは、例えば、端末５００へ送信する制御情報（ＤＬ制御情報）である。
【手続補正６】
【補正対象書類名】明細書
【補正対象項目名】０２３５
【補正方法】変更
【補正の内容】
【０２３５】
相互相関部８０３ａは、無線受信部８０１から取得するベースバンド信号に含まれるプリアンブルを抽出し、プリアンブルに対して相互相関処理を行う。相互相関部８０３ａは、相互相関処理の結果を判定部８０３ｂへ出力する。相互相関部８０３ａにおける相互相関処理については、後述する。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備え、
前記送信部は、所定のサブキャリア間隔を有する第１のサブキャリア群を用いたＯＦＤＭ変調が施された上りリンク信号を送信し、
前記設定部は、
前記下りリンク信号に誤りが無い場合、前記第１のサブキャリア群の一部のサブキャリアからなり、前記所定のサブキャリア間隔のＮ倍（Ｎは４以上の整数）のサブキャリア間隔を有する第２のサブキャリア群に、プリアンブルを配置し、
前記下りリンク信号に誤りが有る場合、前記第１のサブキャリア群の一部のサブキャリアからなり、前記所定のサブキャリア間隔のＭ倍（Ｍは２以上Ｎ未満の整数）のサブキャリア間隔を有するとともに、前記第２のサブキャリア群に含まれない少なくとも１つのサブキャリアを含む第３のサブキャリア群に、プリアンブルを配置する、
端末装置。
【請求項２】
基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備え、
前記送信部は、所定のサブキャリア間隔を有する第１のサブキャリア群を用いたＯＦＤＭ変調が施された上りリンク信号を送信し、
前記設定部は、
前記下りリンク信号に誤りが無い場合、前記第１のサブキャリア群の一部のサブキャリアからなる第２のサブキャリア群に、プリアンブルを配置し、
前記下りリンク信号に誤りが有る場合、前記第１のサブキャリア群の一部のサブキャリアからなり、前記第２のサブキャリア群に含まれない少なくとも１つのサブキャリアを含む第３のサブキャリア群に、プリアンブルを配置し、
前記少なくとも１つのサブキャリアの送信電力を前記第２のサブキャリア群のそれぞれのサブキャリアの送信電力よりも大きい送信電力に設定する、
端末装置。
【請求項３】
前記下りリンク信号が複数の制御信号を含む場合、
前記誤り検出部は、前記複数の制御信号それぞれに対して誤りの有無を検出し、
前記設定部は、誤りが検出された制御信号に応じて、前記少なくとも１つのサブキャリアを変更する、
請求項１または請求項２に記載の端末装置。
【請求項４】
基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備え、
前記送信部は、所定のサブキャリア間隔を有する第１のサブキャリア群を用いたＯＦＤＭ変調が施された上りリンク信号を送信し、
前記設定部は、
前記下りリンク信号に誤りが無い場合、前記所定のサブキャリア間隔のＮ倍（Ｎは２以上の整数）のサブキャリア間隔を有するサブキャリアからなるサブキャリア群に、プリアンブルを配置することにより、互いに同一の信号がＮ個連続した周期信号をプリアンブルとして設定し、
前記下りリンク信号に誤りが有る場合、前記周期信号の一部の極性を反転した信号をプリアンブルとして設定する、
端末装置。
【請求項５】
前記下りリンク信号が複数の制御信号を含む場合、
前記誤り検出部は、前記複数の制御信号それぞれに対して誤りの有無を検出し、
前記設定部は、誤りが検出された制御信号に応じて、前記周期信号の極性を反転する位
置を変更する、
請求項４に記載の端末装置。
【請求項６】
基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備え、
前記送信部は、第１の周波数帯および第２の周波数帯を含む複数の周波数帯を用いて、前記上りリンク信号を送信し、
前記設定部は、
前記下りリンク信号に誤りが無い場合、前記第１の周波数帯を用いて送信する上りリンク信号、および、前記第２の周波数帯を用いて送信する２つの上りリンク信号に同一のプリアンブルを設定し、
前記下りリンク信号に誤りが有る場合、前記第１の周波数帯を用いて送信する上りリンク信号、および、前記第２の周波数帯を用いて送信する２つの上りリンク信号に互いに異なるプリアンブルを設定する、
端末装置。
【請求項７】
基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
前記下りリンク信号の周波数帯における干渉量を検出する干渉検出部と、
を備え、
前記設定部は、前記干渉量が所定値以上か否かで異なるプリアンブルを設定する、
端末装置。
【請求項８】
前記プリアンブルは、前記下りリンク信号に誤りが有り、前記干渉量が所定値以上の場合と、前記下りリンク信号に誤りが有り、前記干渉量が所定値未満の場合と、前記下りリンク信号に誤りが無い場合とで、異なる、
請求項７に記載の端末装置。
【請求項９】
基地局装置と端末装置とを含む無線通信システムであって、
前記端末装置は、
前記基地局装置から送信される下りリンク信号の誤りの有無を検出する誤り検出部と、
前記下りリンク信号に誤りが有る場合と無い場合とで、異なるプリアンブルを設定する設定部と、
前記設定したプリアンブルを含む上りリンク信号を送信する送信部と、
を備え、
前記送信部は、所定のサブキャリア間隔を有する第１のサブキャリア群を用いたＯＦＤＭ変調が施された上りリンク信号を送信し、
前記設定部は、
前記下りリンク信号に誤りが無い場合、前記第１のサブキャリア群の一部のサブキャリアからなり、前記所定のサブキャリア間隔のＮ倍（Ｎは４以上の整数）のサブキャリア間隔を有する第２のサブキャリア群に、プリアンブルを配置し、
前記下りリンク信号に誤りが有る場合、前記第１のサブキャリア群の一部のサブキャリアからなり、前記所定のサブキャリア間隔のＭ倍（Ｍは２以上Ｎ未満の整数）のサブキャリア間隔を有するとともに、前記第２のサブキャリア群に含まれない少なくとも１つのサブキャリアを含む第３のサブキャリア群に、プリアンブルを配置し、
前記基地局装置は、
前記上りリンク信号を受信する受信部と、
前記上りリンク信号に含まれる前記プリアンブルに基づき、前記端末装置が前記下りリンク信号を受信できたか否かを示すフィードバック情報を判定する判定部と、
前記フィードバック情報に応じて、前記端末装置へ送信するデータを設定し、前記設定したデータを含む下りリンク信号を送信する送信部と、
を備える、
無線通信システム。
【請求項１０】
基地局装置から送信される下りリンク信号の誤りの有無を検出し、
前記下りリンク信号に誤りが無い場合、所定のサブキャリア間隔を有する第１のサブキャリア群の一部のサブキャリアからなり、前記所定のサブキャリア間隔のＮ倍（Ｎは４以上の整数）のサブキャリア間隔を有する第２のサブキャリア群に、プリアンブルを配置し、
前記下りリンク信号に誤りが有る場合、前記第１のサブキャリア群の一部のサブキャリアからなり、前記所定のサブキャリア間隔のＭ倍（Ｍは２以上Ｎ未満の整数）のサブキャリア間隔を有するとともに、前記第２のサブキャリア群に含まれない少なくとも１つのサブキャリアを含む第３のサブキャリア群に、プリアンブルを配置し、
前記配置したプリアンブルを含む上りリンク信号を送信する、
通信方法。
【手続補正２】
【補正対象書類名】明細書
【補正対象項目名】０００７
【補正方法】変更
【補正の内容】
【０００７】
本開示の一態様に係る端末装置は、基地局装置から送信される下りリンク信号の誤りの有無を検出する誤り検出部と、前記下りリンク信号に誤りが有る場合と無い場合とで、異なるプリアンブルを設定する設定部と、前記設定したプリアンブルを含む上りリンク信号を送信する送信部と、を備え、前記送信部は、所定のサブキャリア間隔を有する第１のサブキャリア群を用いたＯＦＤＭ変調が施された上りリンク信号を送信し、前記設定部は、前記下りリンク信号に誤りが無い場合、前記第１のサブキャリア群の一部のサブキャリアからなり、前記所定のサブキャリア間隔のＮ倍（Ｎは４以上の整数）のサブキャリア間隔を有する第２のサブキャリア群に、プリアンブルを配置し、前記下りリンク信号に誤りが有る場合、前記第１のサブキャリア群の一部のサブキャリアからなり、前記所定のサブキャリア間隔のＭ倍（Ｍは２以上Ｎ未満の整数）のサブキャリア間隔を有するとともに、前記第２のサブキャリア群に含まれない少なくとも１つのサブキャリアを含む第３のサブキャリア群に、プリアンブルを配置する。
【手続補正３】
【補正対象書類名】明細書
【補正対象項目名】０００８
【補正方法】変更
【補正の内容】
【０００８】
本開示の一態様に係る無線通信システムは、基地局装置と端末装置とを含む無線通信システムであって、前記端末装置は、前記基地局装置から送信される下りリンク信号の誤りの有無を検出する誤り検出部と、前記下りリンク信号に誤りが有る場合と無い場合とで、異なるプリアンブルを設定する設定部と、前記設定したプリアンブルを含む上りリンク信号を送信する送信部と、を備え、前記送信部は、所定のサブキャリア間隔を有する第１のサブキャリア群を用いたＯＦＤＭ変調が施された上りリンク信号を送信し、前記設定部は、前記下りリンク信号に誤りが無い場合、前記第１のサブキャリア群の一部のサブキャリアからなり、前記所定のサブキャリア間隔のＮ倍（Ｎは４以上の整数）のサブキャリア間隔を有する第２のサブキャリア群に、プリアンブルを配置し、前記下りリンク信号に誤りが有る場合、前記第１のサブキャリア群の一部のサブキャリアからなり、前記所定のサブキャリア間隔のＭ倍（Ｍは２以上Ｎ未満の整数）のサブキャリア間隔を有するとともに、前記第２のサブキャリア群に含まれない少なくとも１つのサブキャリアを含む第３のサブキャリア群に、プリアンブルを配置し、前記基地局装置は、前記上りリンク信号を受信する受信部と、前記上りリンク信号に含まれる前記プリアンブルに基づき、前記端末装置が前記下りリンク信号を受信できたか否かを示すフィードバック情報を判定する判定部と、前記フィードバック情報に応じて、前記端末装置へ送信するデータを設定し、前記設定したデータを含む下りリンク信号を送信する送信部と、を備える。
【手続補正４】
【補正対象書類名】明細書
【補正対象項目名】０００９
【補正方法】変更
【補正の内容】
【０００９】
本開示の一態様に係る通信方法は、基地局装置から送信される下りリンク信号の誤りの有無を検出し、前記下りリンク信号に誤りが無い場合、所定のサブキャリア間隔を有する第１のサブキャリア群の一部のサブキャリアからなり、前記所定のサブキャリア間隔のＮ倍（Ｎは４以上の整数）のサブキャリア間隔を有する第２のサブキャリア群に、プリアンブルを配置し、前記下りリンク信号に誤りが有る場合、前記第１のサブキャリア群の一部のサブキャリアからなり、前記所定のサブキャリア間隔のＭ倍（Ｍは２以上Ｎ未満の整数）のサブキャリア間隔を有するとともに、前記第２のサブキャリア群に含まれない少なくとも１つのサブキャリアを含む第３のサブキャリア群に、プリアンブルを配置し、前記配置したプリアンブルを含む上りリンク信号を送信する。